(57)【要約】【課題】投票所を複数の電子投票装置と前記複数の電子投票装置と電気通信回線により接続された複数のサーバとで設営して、迅速に開票が可能な電子投票システムを提供する。【解決手段】投票所を複数の電子投票装置２０３ｓ１，２０３ｓ２、２０３ｓＮと、これらに電気通信回線２７０により接続された複数のサーバ２５０，２５１とで設営して、主たるサーバ２５０の記録媒体４０８，４０９にその投票所で行われた投票結果を記録して、集計する記録媒体の数を減少させ迅速な開票が可能となるようにする。また、複数のサーバ２５０，２５１に、それぞれ原本用４０８と複写用４０９との記録媒体を用い、交互にアクセスするよう構成して、ネットワーク障害が発生した場合に、投票所全体に障害の影響がおよぶことがなく、障害発生前の投票結果も保持することができるようにする。【選択図】      図１
2004213408.tif 000002
【特許請求の範囲】
【請求項１】
各投票所内には、複数の電子投票装置と、
前記複数の電子投票装置と電気通信回線により接続された主たるサーバ及びサブサーバを有する電子投票システムであって、
前記サブサーバは前記主たるサーバが通信不能となった場合に、主たるサーバにかわり前記複数の電子投票装置との間の通信を確保するためのサーバであり、
前記サーバは脱着可能な記録媒体をそれぞれ有し、
前記主たるサーバは、電気通信回線により接続された、前記電子投票装置に通知するステップと、
前記電子投票装置は、前記通知を受信した際、発信元の前記サーバを主たるサーバとして記憶するステップと、
前記主たるサーバは、電気通信回線により接続された、前記電子投票装置に候補者データを配信するステップと、
前記主たるサーバは、投票を始める時刻となった際に
前記記録媒体に投票結果が記録されていないことを表示するステップと、
前記表示内容の確認が行われたことを前記電子投票装置に通知するステップと、
前記電子投票装置は、前記通知により投票操作可能な状態に移行するステップと、
前記電子投票装置は、投票人の投票操作による投票結果を前記記憶された主たるサーバにのみ通知するステップと、
前記主たるサーバは前記通知された投票結果を前記記録媒体に記録するステップと、
前記主たるサーバは前記投票結果を記録した後、前記投票結果の記録完了を前記電子投票装置に通知するステップと、
前記電子投票装置は、前記主たるサーバによる前記投票結果記録完了の通知を受信して前記投票操作を終了するステップと、
前記主たるサーバは、投票を終了するべき時刻になった際に投票終了を前記電子投票装置に通知するステップと、
前記電子投票装置は、前記通知を受信して投票操作不可能に移行するステップと、を有することを特徴とする電子投票システム。
【請求項２】
前記請求項１に記載の電子投票システムにおいて、
前記主たるサーバは、動作に不具合が発生したことを検出するステップと、
前記主たるサーバは不具合を検出した際、前記主たるサーバの電気通信回線を停止するステップと、
前記サブサーバは、主たるサーバの電気通信回線を監視するステップと、
前記主たるサーバの電気通信回線が停止したことを検出した際は、前記主たるサーバでないサーバは、次に主となるサーバを決定するステップと、
前記新たな主たるサーバが決定されたことを前記電子投票装置に通知するステップと、を更に有したことを特徴とする電子投票システム。
【請求項３】
前記請求項１および２に記載の電子投票システムにおいて、
前記サーバは、第１および第２の記録媒体を有し、前記電子投票装置より投票結果の通知を受信した際は、前記第１の記録媒体および前記サーバ内の投票結果一時記憶領域に前記投票結果を記録するステップと、
前記第１の記録媒体の記録結果と前記サーバ内の投票結果一時記憶領域の記録内容とを比較するステップと、
前記記録内容が一致することで、前記投票結果が正しく記録されたことを確認するステップと、
前記投票結果が正しく記録されたことが確認された際は、前記電子投票装置に投票結果記録完了を通知するステップと、
前記第２の記録媒体に前記投票結果を記録した後、前記第１の記録媒体の記録結果と前記第２の記録媒体の記録結果と比較するステップと、
前記記録結果が一致することで、第２の前記記録媒体に前記投票結果が正しく記録されたことを確認するステップと、
前記第２の前記記録媒体に投票結果が正しく記録されたことが確認された際は、前記サーバ内の投票結果一時記憶領域の記録内容を消去するステップと、を更に有することを特徴とする電子投票システム。
【請求項４】
前記請求項１〜３のいずれか１に記載の電子投票システムにおいて、
前記サーバの記録媒体に記録される投票結果は、あらかじめ定められた固有の前記電子投票装置識別情報に基づき、前記電子投票装置ごとに独立した記録領域に記録されることを特徴とする電子投票システム。
【発明の詳細な説明】
【０００１】
【発明の属する技術分野】
本発明は、国内外の公職選挙などの際に、情報処理装置を用いて投票を行うための電子投票システムに関する。
【０００２】
【従来の技術】
近年の情報技術（ＩＴ：Ｉｎｆｏｒｍａｔｉｏｎ  Ｔｅｃｈｎｏｌｏｇｙ）の進展に伴い、選挙のＩＴ化を目的とした電子投票システムの技術開発が行われている。総務省のホームページ上で公開されている「電子機器利用による選挙システム研究会報告書」および「同中間報告書」によれば、今後の電子投票の普及形態は、
［第１段階］  選挙人が指定された投票所において電子投票装置を用いて投票する段階（ネットワークを使用しない投票）
［第２段階］  指定された投票所以外の投票所においても投票できる段階（専用回線を使用したネットワーク投票）
［第３段階］  投票所での投票を義務づけず、個人の所有するコンピュータ端末を用いて投票する段階（公衆回線を使用したネットワーク投票）
の３つの段階を経ることが予想されている。現在の電子投票制度は、日本国内はもとより、諸外国においても、一部の試験的選挙を除いて未だ第１段階にある。
第２段階及び第３段階は、ネットワークセキュリティの問題や、個人認証の方法等に課題を有しており、実用化のめどはたっていない。
【０００３】
さて、日本国内における電子投票制度は上述したように第１段階にあるが、その法律上の根拠は、地方公共団体の議会の議員及び長の選挙に係る電磁的記録式投票機を用いて行う投票方法等の特例に関する法律４条２項で定められており、電子投票装置を電気通信回線に接続してはならないことが明記されている。ここで、電気通信回線とは、投票所、開票所間等、拠点と拠点と結ぶ通信回線であって、同一拠点内のネットワーク等は含まないとの総務省の見解が示されている（例えば非特許文献１参照。）。従って、投票所の中でネットワークを構築することに法的な規制はない。
【０００４】
また、現行法によれば投票所と開票所とは、異なった場所（住所）に設営することが決められており、投票所において開票作業を行うことも禁じられている。そこで、現行法に沿ったネットワークを構築せず、個別に設置するようにした電子投票装置が提案されている（例えば特許文献１参照。）。この電子投票装置は、投票結果を磁気的記録媒体に記録し、投票終了後それぞれの記録媒体を開票所に収集して集計作業を行うものである。
【０００５】
【特許文献１】
特開２０００−４０１１１公報（第４−５項）
【０００６】
【非特許文献１】
総務省電子投票システムに関する技術的条件及び解説
（  ＨＹＰＥＲＬＩＮＫ  ”ｈｔｔｐ：／／ｗｗｗ．ｓｏｕｍｕ．ｇｏ．ｊｐ／ｓ−ｎｅｗｓ／２００２／ｐｄｆ／０２０２０１  １．ｐｄｆ”  ｈｔｔｐ：／／ｗｗｗ．ｓｏｕｍｕ．ｇｏ．ｊｐ／ｓ−ｎｅｗｓ／２００２／ｐｄｆ／０２０２０１  １．ｐｄｆ）
【０００７】
【発明が解決しようとする課題】
ところが、上述した電子投票装置を個別に設置した方式の電子投票システムは、開票所に個々の電子投票装置に装着した記録媒体を収集して開票するため、迅速な（例えば３０分以内の）開票を行なうことができる電子投票装置の台数は高々２００台が限界であり、電子投票装置の設置が１０００台を超えるような都市部の大規模な選挙には対応できないという問題があった。
【０００８】
上記問題を解決する方法として、投票所内で電子投票装置をネットワーク接続し、それぞれ接続した電子投票装置のサーバの記録媒体に投票結果を記録することで、投票結果を記録した記録媒体の数を減少させる方法が考えられるが、ネットワーク障害が発生した場合に、投票所全体に障害の影響がおよび、選挙が無効となってしまうという問題があった。
【０００９】
本発明は、以上の点に鑑みなされたもので、投票所を複数の電子投票装置と前記複数の電子投票装置と電気通信回線により接続された複数のサーバとで設営して、主たるサーバの記録媒体にその投票所で行われた投票結果を記録させるようにしたので、集計する記録媒体の数を減少することができ、迅速に開票が可能となり、かつ投票所の設営と撤去をスピーディに行なうことができる電子投票システムを提供する。
また、複数のサーバに、それぞれ原本用と複写用との記録媒体を用い、交互にアクセスする構成とすることにより、ネットワーク障害が発生した場合に、投票所全体に障害の影響がおよぶことがなく、障害発生前の投票結果も保持することができる電子投票システムを提供する。
しかも、今後法改正が行われ、投票所と開票所とを電気通信回線で接続した電子投票システム形態に対しても、容易に拡張することができる電子投票システムを提供する。
【００１０】
【課題を解決するための手段】
本発明は、上記課題を解決するために、以下の１）〜４）記載の手段よりなる。
すなわち、
１）各投票所内には、複数の電子投票装置と、
前記複数の電子投票装置と電気通信回線により接続された主たるサーバ及びサブサーバを有する電子投票システムであって、
前記サブサーバは前記主たるサーバが通信不能となった場合に、主たるサーバにかわり前記複数の電子投票装置との間の通信を確保するためのサーバであり、
前記サーバは脱着可能な記録媒体をそれぞれ有し、
前記主たるサーバは、電気通信回線により接続された、前記電子投票装置に通知するステップと、
前記電子投票装置は、前記通知を受信した際、発信元の前記サーバを主たるサーバとして記憶するステップと、
前記主たるサーバは、電気通信回線により接続された、前記電子投票装置に候補者データを配信するステップと、
前記主たるサーバは、投票を始める時刻となった際に
前記記録媒体に投票結果が記録されていないことを表示するステップと、
前記表示内容の確認が行われたことを前記電子投票装置に通知するステップと、
前記電子投票装置は、前記通知により投票操作可能な状態に移行するステップと、
前記電子投票装置は、投票人の投票操作による投票結果を前記記憶された主たるサーバにのみ通知するステップと、
前記主たるサーバは前記通知された投票結果を前記記録媒体に記録するステップと、
前記主たるサーバは前記投票結果を記録した後、前記投票結果の記録完了を前記電子投票装置に通知するステップと、
前記電子投票装置は、前記主たるサーバによる前記投票結果記録完了の通知を受信して前記投票操作を終了するステップと、
前記主たるサーバは、投票を終了するべき時刻になった際に投票終了を前記電子投票装置に通知するステップと、
前記電子投票装置は、前記通知を受信して投票操作不可能に移行するステップと、
を有することを特徴とする電子投票システム。
２）前記１）に記載の電子投票システムにおいて、
前記主たるサーバは、動作に不具合が発生したことを検出するステップと、
前記主たるサーバは不具合を検出した際、前記主たるサーバの電気通信回線を停止するステップと、
前記サブサーバは、主たるサーバの電気通信回線を監視するステップと、
前記主たるサーバの電気通信回線が停止したことを検出した際は、前記主たるサーバでないサーバは、次に主となるサーバを決定するステップと、
前記新たな主たるサーバが決定されたことを前記電子投票装置に通知するステップと、
を更に有したことを特徴とする電子投票システム。
３）前記１）および２）に記載の電子投票システムにおいて、
前記サーバは、第１および第２の記録媒体を有し、前記電子投票装置より投票結果の通知を受信した際は、前記第１の記録媒体および前記サーバ内の投票結果一時記憶領域に前記投票結果を記録するステップと、
前記第１の記録媒体の記録結果と前記サーバ内の投票結果一時記憶領域の記録内容とを比較するステップと、
前記記録内容が一致することで、前記投票結果が正しく記録されたことを確認するステップと、
前記投票結果が正しく記録されたことが確認された際は、前記電子投票装置に投票結果記録完了を通知するステップと、
前記第２の記録媒体に前記投票結果を記録した後、前記第１の記録媒体の記録結果と前記第２の記録媒体の記録結果と比較するステップと、
前記記録結果が一致することで、第２の前記記録媒体に前記投票結果が正しく記録されたことを確認するステップと、
前記第２の前記記録媒体に投票結果が正しく記録されたことが確認された際は、前記サーバ内の投票結果一時記憶領域の記録内容を消去するステップと、
を更に有することを特徴とする電子投票システム。
４）前記１）〜３）のいずれか１に記載の電子投票システムにおいて、
前記サーバの記録媒体に記録される投票結果は、あらかじめ定められた固有の前記電子投票装置識別情報に基づき、前記電子投票装置ごとに独立した記録領域に記録されることを特徴とする電子投票システム。
【００１１】
【発明の実施の形態】
以下、本発明の電子投票装置の発明の実施の形態につき、好ましい実施例により説明する。
図１は、本実施例に適用される電子投票システムの構成を示すブロック図である。同図に示す電子投票システムは、選挙データ作成システム１００、開票所システム３００、投票所２００の中に設置された投票カード発行機２０１及び電子投票装置２０３ｓ、サーバ２５０，２５１で構成され、サーバと電子投票装置はＬＡＮケーブル２７０で接続されている。ネットワーク形態により、ネットワークハブ装置等が必要となるが、ここでは、図示していない。また、ネットワーク接続は、必ずしも有線である必要はなく、設置の容易さや投票所内のケーブル散乱を避けるために光無線ＬＡＮや電波無線ＬＡＮを使用することが好ましい。
【００１２】
複数台のサーバ２５０，２５１各々に原本用と複写用の記録媒体４０８，４０９が装着される。また、各電子投票装置には、記録媒体は装着されていない。これら、複数のサーバと電子投票装置とを用いて投票所内でネットワークを形成している。同図では、サーバ装置２５０と２５１を異なる装置と図示しているが、設置性を考慮して、同一の筐体内にサーバ２５０と２５１を配置してもよい。
【００１３】
使用するサーバは、専用のコンピュータを用意してもよいが、サーバの制御プログラムを電子投票装置２０３にインストールする構成としてもよい。ここでは、サーバの制御プログラムを電子投票装置２０３にインストールする構成を説明する。図９は、本実施例に適用される電子投票装置２０３、サーバ２５０，２５１の外装の一例を示す正面図（フロントドアオープン時）である。フロントドア２０３２の内部には、原本用記録媒体用スロット２０３０３、複写用メディア用スロット２０３０４、電源スイッチ２０３２が格納されている。原本用記録媒体用スロット２０３０３、複写用メディア用スロット２０３０４は、サーバとして動作させる場合に使用する。投票時においては、フロントドア２０３２は、ロックブラケット２０３０ｂ部分に小型の南京錠２０３０ａにより、投票管理者が施錠を行なうので、第三者が不正にフロントドア内部に触れることが禁止される。
なお、同図には図示されていないが、フロントドア開閉センサも格納されており、不測のフロントドアの開錠を監視するための二重鍵の機能を果たしている。
【００１４】
図２は、本実施例に適用されるサーバ２５０，２５１内蔵のＲＡＭ４５３Ｓ内部のデータ構造の一例を示す図である。ＲＡＭ４５３Ｓは、投票が行われている間、制御プログラム４０４Ｓを一時的に格納する投票プログラム領域４０４Ｓｂを有する。
ＲＡＭ４５３Ｓは、サーバ動作モードを格納するサーバ動作モード領域４０１Ｓｂを有する。サーバ動作モードは、サーバが主たるサーバとして動作しているか否かを示す情報で、複数台のサーバのうち、運用カードを挿入したサーバが、主たるサーバとなり、他のサーバは、主たるサーバを監視するサーバとなる。
ＲＡＭ４５３Ｓは、投票カード４０６及び運用カード４０５の読取に係る認証キー４０３を格納する認証キー領域４０３Ｓｂを有する。
ＲＡＭ４５３Ｓは、発行機２０１が発行した乱数である投票所ＩＤを格納する投票所ＩＤ領域４０５５Ｓｂを有する。
ＲＡＭ４５３Ｓは、電子投票装置２０３より通知された選挙人による投票データ４０７がサーバでの記録処理が行われるまでの間、一時的に投票データ４０７を格納する投票データ領域４０７Ｓｂを有する。このキャッシュ領域は、固定されたアドレスに存在するわけではなく、空きのある番地に適宜割り振られる。
ＲＡＭ４５３Ｓは、投票ログ４０７５を格納する投票ログ領域４０７５Ｓｂを有する。
【００１５】
図３は、本実施例に適用されるサーバ２５０，２５１のＲＡＭ４５３Ｓに、格納される制御プログラム４０４Ｓの構造の一例を示す図である。
投票プログラム４０４Ｓは、カード読取部４３１Ｓを有する。カード読取部４３１Ｓは、ＩＣカードなどの形態で提供される投票カード４０６又は運用カード４０５が、カード記録読取手段２０３２に搬入された後、カードに記録されたデータを読み取るのを制御するためのプログラムである。
【００１６】
制御プログラム４０４Ｓは、サーバ動作選択部４３２Ｓを有する。サーバ動作選択部４３２Ｓは、カード読取部から与えられる運用カード読み取り情報や通信制御部から与えられる、他のサーバよりの通信情報、サーバ動作監視部などから与えられる情報より、サーバ動作モードを選択するためのプログラムである。サーバ動作モードは、これらの情報に応じて適宜変更される。
制御プログラム４０４Ｓは、サーバ動作監視部４３３Ｓを有する。サーバ動作監視部４３３Ｓは、サーバの動作モードが主たるサーバである時は、自身の動作を監視し、異常を検出した際はネットワークの動作を停止する。サーバの動作モードが主たるサーバでない時は、サーバ動作監視部４３３Ｓは、ネットワークを介して主たるサーバを監視し、主たるサーバのネットワークが停止した際には、サーバ動作選択部に情報を伝える。
【００１７】
制御プログラム４０４Ｓは、投票データ記録部４３４Ｓを有する。投票データ記録部４３４Ｓは、電子投票装置２０３より通知された選挙人の選挙人の投票データ４０７（投票結果）を、可搬性のある電磁的記録媒体に記録することを制御するためのプログラムである。すなわち、投票データ記録部４３４Ｓは、ＲＡＭ４５３Ｓの投票データ領域４０７Ｓｂに読み込まれた投票データ４０７を原本用メディア４０８に記録した後に、ＲＡＭ４５３Ｓとの照合を行い、さらに複写用メディア４０９に複写を行なう。原本、副本の二つの記録媒体に投票データを保存するにあたっては、媒体毎に独立して、ファイルオープン→データ書き込み  →ファイルクローズ  →キャッシュはき出しを行い、記録を確定させる。このように同時に二つの記録媒体がアクティブな状態を無くすことで、障害時には、最悪いずれか一つの記録媒体のデータを確保することができるようにしている。
【００１８】
投票プログラム４０４Ｓは、通信制御部４３５Ｓを有する。通信制御部４３５Ｓは、他のサーバや電子投票装置に通知する情報や受信する情報を制御するプログラムである。また、サーバ動作監視部４３３Ｓの監視動作も通信制御部４３５Ｓを介して行われる。
この通信制御部４３５Ｓでは、すべてのサーバおよび電子投票装置の設置とそれぞれのＬＡＮ接続が完了した後、最初の投票を開始する前に主たるサーバを決定する。その後、決定した主たるサーバを他のサーバと電子投票装置とに通知する。次に、主たるサーバは候補者情報の配信を通知して候補者情報の配信を行い投票操作可能状態で待機する。また、主サーバの停止の監視、主サーバの交代の制御も行う。
【００１９】
以下さらに詳細に、本実施例に適用される電子投票システムについて説明する。
図４は、本実施例に適用される電子投票装置２０３を用いた電子投票システムの全体構成の一例を示す図である。同図に示す電子投票システムは、選挙管理委員会や中央選挙管理会などの選挙管理組織によって管理されるものであり、大別して、選挙データ作成システム１００、投票所システム２００、開票所システム３００により構成される。なお、選挙データ作成システム１００は全国の自治体毎に複数存在し、また投票所システム２００も、各々の選挙データ作成システム１００に対して投票区毎に複数設置されるシステムであり、さらに開票所システム３００も開票区毎に複数設置される。従って、複数の選挙データ作成システム１００、及び複数の投票所システム２００、複数の開票所システムが存在するが、同図では、説明のため、１つの選挙データ作成システム１００、２つの投票所システム２００、２つの開票所システム３００のみを図示している。
【００２０】
選挙データ作成システム１００は、選挙データ管理作成機１０１と選挙データメディアコピー機１０２とを有している。選挙データ管理作成機１０１は、実施選挙の種類４０２（単記式候補者選挙や、非拘束名簿式比例代表選挙などの選挙の種類のこと）、カード認証キー（以下認証キーとも言う）４０３及び投票プログラム４０４の管理、候補者名・政党登録の更新・削除などを管理し、候補者画面と選挙データから構成される候補者データ４０１を作成することにより、後述する電子投票装置用や投票カード発行機用及び投票データ収集・集計機用の選挙データマスター４００を投票前に事前に作成するサブシステムである。
【００２１】
特に、候補者名・政党名の登録の際には、候補者の氏名、所属政党、読み仮名、経歴、公約などのデータをテキスト形式データとして、ハードディスクやメモリなどの格納手段（不図示）内に格納する。また、これらのデータは、視覚障害者に対して音声ガイドを行なうために、ＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）やＭＰ３（エム・ピー・スリー：ＭＰＥＧ−１／Ａｕｄｉｏ  Ｌａｙｅｒ３、ＭＰＥＧ：Ｍｏｔｉｏｎ  Ｐｉｃｔｕｒｅ  Ｅｘｐｅｒｔｓ  Ｇｒｏｕｐ）などの適切な圧縮形式の音声データとして記憶される。さらに、候補者の顔写真やポスターなどの画像情報などはＪＰＥＧ（ジェイペグ：  Ｊｏｉｎｔ  Ｐｈｏｔｏｇｒａｐｈｉｃ  Ｅｘｐｅｒｔｓ  Ｇｒｏｕｐ）などの適切な圧縮形式の画像データとして記憶される。なお、この選挙データ管理作成機１０１は、ＰＣ（パーソナルコンピュータ：  Ｐｅｒｓｏｎａｌ  Ｃｏｍｐｕｔｅｒ）によって実現可能である。
【００２２】
選挙データ管理作成機１０１が作成する選挙データマスター４００には、投票プログラム４０４、候補者データ４０１、カード認証キー４０３が記録される。
カード認証キー４０３とは、本実施例では、ＩＣカードの読取りを認証するためのキーである。選挙データマスター４００は、通常１つのメディアとして作成され、選挙管理組織（以下、選挙管理委員会、選管ともいう）が有する試験用機器により試験され、承認された場合に、選挙データメディアコピー機１０２に移送される。
【００２３】
選挙データメディアコピー機１０２は、選管によって試験されて承認された選挙データマスター４００のデータを、複数のメディアに複製するための装置である。この選挙データメディアコピー機１０２により作成されるメディアは、後述する投票所システム２００を構成するサーバ２５０，２５１に対して配布される記録媒体（複写用メディア）４０９と投票所の投票カード発行機に対して配布される記録媒体（発行機用メディア）２０２である。
【００２４】
複写用メディア４０９には、投票プログラム４０４、候補者データ４０１、カード認証キー４０３が、選挙データマスター４００から複製され、記録される。
なお、複写用メディア４０９とは別に原本用メディア４０８が用意され、原本用メディア４０８には、データを何も記録しない空き状態でサーバ２５０，２５１に配布される。投票プログラム４０４とは、電子投票装置２０３において、画面及び音声ガイダンスなどを含む候補者データ４０１とカード認証キー４０３を用いて、投票の制御と投票データの記録管理を実行するアプリケーションプログラムである。また、カード認証キー４０３とは、投票カード初期化や投票カードの有効性の認証を行なうためのデータである。
【００２５】
投票カード発行機２０１に予め内蔵される発行機用メディア２０２には、実施選挙の種類４０２、カード認証キー４０３が、選挙データメディアコピー機により選挙データマスター４００から複製され、記録される。発行機用メディア２０２とは、投票カード発行機２０１を起動するために必要な記録媒体である。メディアとしてはフロッピー（登録商標）ディスク（以下ＦＤと記す）やＩＣカードなどが使用される。
【００２６】
投票所システム２００は、サーバ２５０，２５１と投票カード発行機２０１と電子投票装置２０３を有している。投票カード発行機２０１は、住民基本台帳に基づいて作成された選挙人名簿又は抄本に記載された選挙人にあらかじめ配布された入場整理券（主に、選挙人に郵送される葉書）との対照により本人確認を行った後、記載されている選挙人特性（障害の種類）に応じて、投票カード４０６を発行するための装置である。投票カード４０６は、例えば、ＩＣカードを用いることにより、多くの情報を蓄積することができる。この投票カード４０６には、後述する図２３において図示されるようにカード発行年月日、選挙人の障害の種類を示す選挙人特性ＩＤ２０２１、言語区分、選挙の種類を示す選挙ＩＤ、投票種別、などのデータが記憶される。
【００２７】
投票カード発行機２０１は、投票管理者が所有管理する運用カード４０５をも発行する機能を有する。投票管理者は、投票カード発行機２０１を使い、投票カード認証キー４０３を使用して作成した固有の投票所ＩＤ４０５５（以下、管理ＩＤともいう）を運用カード（以下、管理者カードともいう）４０５に記録する。運用カード４０５には、選挙管理委員会が生成した全投票所で共通のカード認証キー４０３を用いて生成される投票所ＩＤ４０５５が記録される。運用カード４０５は、ＩＣカードなどで実現され、投票所ＩＤ４０５５は投票所毎に異なる固有値を取る必要がある。運用カード４０５は、サーバ２５０，２５１に挿入されると、サーバに装着された複写用メディア４０９上のカード認証キー４０３を使用して運用カード４０５の読取りを認証し、投票所ＩＤ４０５５を読み取る。
読み取られた投票所ＩＤ４０５５は、サーバ２５０，２５１のＲＡＭに格納された後、各電子投票装置にネットワークを介して通知され、各電子投票装置のＲＡＭ４５３（ディスクメモリ等）に格納される。こうして、投票所に固有の投票所ＩＤが投票カード発行機２０１から電子投票装置２０３に伝播され、電子投票装置２０３が、選挙人から投票カード４０６を受付可能な状態となる。このとき、投票カード４０６にはこの投票所ＩＤ（管理ＩＤ）が記録されて発行されるため、この投票所における投票カード発行機２０１で発行された投票カード４０６以外の投票カードは、異なる投票所ＩＤを有することから、受け付けられないこととなる。
【００２８】
投票カード４０６には、投票所ＩＤ４０５５以外に、選挙人が入出力手段を選択できる情報が投票カード発行機２０１において記録される。例えば、入場整理券の選挙人特性欄に視覚障害者の記載がある選挙人の投票カード４０６には、投票所において視覚障害者であることを示す選挙人特性ＩＤ２０２１が記録され、選挙人に貸与される。この選挙人が投票カード４０６を電子投票装置２０３に挿入した場合、視覚障害者用の投票モードになり、適切な表示入力モードが選択される。なお、この投票カード４０６には、憲法１５条に定められた投票の秘密を守るため、カードを使用する選挙人を特定できるような個人情報は記憶されないようにすることが好ましい。したがって、投票カードとして、住民基本台帳カードなどの個人情報が記録されたカードを利用する場合には、電子投票装置２０３による個人情報の読取りを制限する必要がある。
【００２９】
電子投票装置２０３は、投票所に複数台設置され、選挙人による投票を受け付けるための装置である。電子投票装置２０３は、投票所に設置された時点では、選挙に係るデータは何ら格納されていない状態である。選挙データシステム１００からサーバを経由して電子投票装置２０３に対して実施選挙に係るデータの移送が完了して初めて、電子投票装置としての機能を果たすようになる。すなわち、選挙データメディアコピー機１０２から可搬性のある複写用メディア４０９により、投票プログラム４０４及び候補者データ４０１、カード認証キー４０３がサーバに移送され、サーバからネットワークを介して電子投票装置２０３の記憶手段（後述するＲＡＭ４５３）に記録される。
【００３０】
また、電子投票装置２０３は、投票終了後においては、選挙人の投票内容を記録した投票データ４０７及び電子投票プログラム（以下投票プログラムとも言う）４０４などの電子投票装置２０３内部に存在する選挙に係る全てのデータは、記憶手段が揮発性メモリを使用していることにより、電源切断時にＲＡＭ４５３から自動的に消去される。そして、サーバに装着されたメモリカードなどの可搬性のある記録媒体（すなわち原本用メディア４０８及び複写用メディア４０９）が開票所システム３００に送致される。このように、投票時間の間だけ、電子投票装置２０３に選挙に係るデータやソフトウェアが置かれるようにすることによって、第三者による不正操作の危険を極めて低くすることが可能となる。
【００３１】
電子投票装置２０３は、投票日の投票開始時刻の前に、投票カード発行機２０１によって発行された識別コードである投票所ＩＤ４０５５を、投票開始に先立って、サーバが運用カード（管理者カード）４０５により読込んでものをネットワークを介して電子投票装置内部に記憶する機能を有する。そして、電子投票装置２０３は、投票開始時刻の後には、本人確認を済ませた有権者（以下、選挙人、投票者ともいう）に対して投票カード発行機２０１により発行された投票カード４０６を読み取る機能を有する。投票カード４０６には、同一投票所内では上述した運用カード４０５に記録されたものと同一の投票所ＩＤが記録されており、投票者が電子投票装置２０３に対して投票カード４０６を挿入したときに、認証キー４０３によりデータ読取りの認証が成功した後に、カードに記録された投票所ＩＤを読み込んで電子投票装置内部の投票所ＩＤと比較照合することにより、挿入された投票カードの真正性を判定する。また電子投票装置２０３は読み取る投票カード４０６には、投票所ＩＤ４０５５の他に、上記した選挙人特性ＩＤ２０２１や、投票可能な選挙の種類（図３７で実施選挙の種類４０２として図示）に対応する投票権利を示す投票フラグ２０２２が記録されている。これらのデータは、上記投票所ＩＤ４０５５の照合が成功した後に、順次読み取られる。
【００３２】
開票所システム３００は、データ収集・集計機３０１、集計結果を印刷するプリンタを有している。
投票データ収集・集計機３０１は、複数の投票所に設置されて電子投票装置２０３の投票データ４０７及び電子投票装置シリアル番号２０３ｓ（個々の電子投票装置の製造時に付与されたシリアル番号）を収集し、両者を関連付けて格納手段（不図示）に格納するための装置である。本実施例では、投票データ４０７の収集方法としては、可搬性のある原本用メディア４０８による物理的な搬送手段を用いる。なお、本発明の他の実施形態として、投票所システム２００と開票所システム３００とを電気通信回線によりネットワーク接続し、電磁的記録媒体４０８、４０９に記録されたデータを読み出して、ネットワーク伝送するように構成することも可能である。このような電磁的記録媒体とネットワークを併用するハイブリッド方式のネットワーク型システムを採用した場合、常時接続を必要とせず、投票所を閉じる時刻の後に一括してデータ伝送を行なうことができるため、伝送におけるセキュリティをより高めることが可能である。
【００３３】
以下、図５に示す電子投票装置２０３を構成するハードウェアおよびソフトウェアの詳細について説明する。
図５は、本実施例に適用される電子投票装置２０３の外装の一例を示す斜視図である。電子投票装置２０３は、液晶表示装置２０３１１（以下ＬＣＤともいう。ＬＣＤ：Ｌｉｑｕｉｄ  Ｃｒｙｓｔａｌ  Ｄｉｓｐｌａｙ）及びタッチパネル２０３１３、及び図示しないタッチパネルコントロール基板、後述するインバータ基板２０３１２並びに筐体部から構成されるディスプレイユニット２０３１を有している。ＬＣＤ２０３１１は、投票に係る情報を、投票者に視覚的に報知する。本実施例におけるＬＣＤ２０３１１のサイズは１５インチであり、誰にとっても見やすい大きさの画面表示を行なうのに十分な大きさと解像度（１０２４×７６８画素）を有している。
【００３４】
タッチパネル２０３１３は、上記ＬＣＤの上面に重ね合わせて配置され、指やスタイラスペンで触れることにより座標入力が可能な抵抗膜式の透明タブレットである。タッチパネル２０３１３は、ＬＣＤ以上の解像度（４０９６×４０９６画素）を有しており、ＬＣＤ上にＧＵＩ（グラフィカル・ユーザー・インターフェース：Ｇｒａｐｈｉｃａｌ  Ｕｓｅｒ  Ｉｎｔｅｒｆａｃｅ）により表示された操作ボタンをタッチパネル上から押下する際に、確実な識別が可能となっている。また、投票カード４０６の読取りを行なう投票カード記録読取手段２０３２（以下、カード記録読取手段、カードリーダライタ、カードＲ／Ｗともいう）を有する。さらに、音声による投票操作ガイドを行なうスピーカ（音声出力手段）２０３３を有している。
【００３５】
また、電子投票装置２０３は、投票所の投票管理者が管理する南京鍵２０３０ａによって開閉可能なフロントドア２０３０を有している。フロントドア２０３０には、開閉状態を電気的に検出可能なセンサ２０３１０（図１１に図示）が配置されており、投票中においては、フロントドア２０３０が開いた場合に、異常として検出し、状態表示灯２０３０１の操作表示灯２０３０１ｂに表示する。
【００３６】
ＬＣＤおよびタッチパネルを含むディスプレイユニット２０３１は、誰にとっても利用しやすい高さおよび形状を実現するため、水平面に対して１５度の傾きを有するように構成されており、投票所において電子投票装置２０３を自書式投票用の記載台の上に設置した際に、立位の投票者による目視が容易であり、かつ投票者背面によりの盗み見を防止できるような角度に設定されている。
【００３７】
電子投票装置２０３は、状態表示灯２０３０１を除く外装部の大きさが、幅３５０ｍｍ×奥行３５０ｍｍ×高さ１９０ｍｍであり、図示しない保管箱に収納した状態で５段の積み重ねが可能である。また、従来自書式投票において使用されてきた記載台の上にも設置することが可能である。また、電子投票装置２０３の重量は約８ｋｇ程度であるので一人で十分運搬可能であり、投票所への運搬又は設置等の選挙事務に支障のない重量である。
【００３８】
図６は、本実施例に適用される電子投票装置２０３の外装の一例を示す斜視図（バリアフリーポジション）である。ディスプレイユニット２０３１の筐体部は、表示面の傾き（チルト）を調整可能な機構をさらに有し、しかもタッチパネル操作時に安定性を有する支持機構（図示せず）を具備させて、車椅子の選挙人等が座した状態でも操作し易いようなバリアフリー仕様とすることが好ましい。ただし、この表示面の角度は、必ずしも任意の角度に調整可能であるように構成する必要はない。同図は、表示面を設置面に対して９０度（垂直）に配置した場合の斜視図である。図５及び図６に図示するように、表示部の傾きは、水平面（設置面）に対して１５度または９０度の２種類のみから投票者が選択することとしても、実際上差し支えないことが、全国の身体障害者に対する実地試験により明らかになっている。そこで、これ以外の角度に対する調整機構を省略することにより、図示しない支持機構の製作費用を低減することができる。なお、表示部を立てた状態で使用するときは、投票時に、背後にいる人間の盗み見により投票の秘密が漏れないように、投票所の壁面を背にする等、適切な向きで設置することが好ましい。
【００３９】
図７は、本実施例に適用される電子投票装置２０３の外装の一例を示す上面図である。同図に示す電子投票装置２０３の上面図は、ディスプレイユニット２０３１を倒した状態（すなわち水平面から１５度の状態）を図示している。電子投票装置２０３は、ロックブラケット２０３０ｂを有している。ロックブラケット２０３０ｂは、南京錠２０３０ａ等の鍵のシャックル部が貫通できるような穴を有しており、その穴の径は、鍵のシャックル部が十分に出し入れできる程に大きく、かつ施錠時にフロントドア２０３２にガタが生じない程度の大きさを有している。
また、電子投票装置２０３は、スタイラスペン２０３１ａを保持するペンホルダ２０３１ｂを有している。電子投票装置２０３のタッチパネル入力操作に使用するスタイラスペン２０３１ａは、投票者がタッチパネルを指で触れる代わりに選択的に用いるものであり、適度に先の尖ったペン形状の物品であれば、どのようなものでも使用可能である。
【００４０】
電子投票装置２０３は、スライドカバー２０３５を有している。同図では、スライドカバー２０３５が半分だけ開いた状態が図示されている。スライドカバー内部に、状態表示灯２０３０１を電子投票装置内部のハードウェアに接続するための状態表示灯ケーブル２０３０１ｄを有している。状態表示灯ケーブル２０３０１ｄは、ポール２０３０１ｃ（図８に図示）の内部を通し、本体リア部にコネクタ接続される。この状態表示灯ケーブル２０３０１ｄは、後述する電子投票装置内部のマザーボード４５０及び直流電源２０３１５に接続され、投票操作及び電源状態をランプの点灯状態により表示することにより、電子投票装置２０３から離れた場所にいる人が視覚的にモニター可能である。
【００４１】
なお、図示されていないが、スライドカバー内部には、表示または入力に関するバリアフリーオプションを接続するための複数の端子が配置されている。例えば、候補者選択項目が巡回的に移動するスキャン入力画面において使用可能な運動機能障害用プッシュスイッチ２０３７１で行なう投票モードで使用する運動機能障害用プッシュスイッチ端子２０３７を有する。また、視覚的に候補者画面表示を認識困難な選挙人が使用可能な、触覚認識用ピンディスプレイ及び盲人用キーボードを配置した視覚障害者用専用キーボード２０３８１を接続する視覚障害者用専用キーボード端子２０３８を有する。さらに、ディスプレイユニット２０３１を使用せずに音声のみで投票を行なう投票モードで使用する音量調整付きヘッドホン２０３９１を接続するヘッドホン端子２０３９等が配置されている。
【００４２】
図８は本実施例に適用される電子投票装置２０３の外装の一例を示す正面図である。電子投票装置２０３が有する状態表示灯２０３０１は、電源表示灯２０３０１ａ、操作表示灯２０３０１ｂ、ポール２０３０１ｃから構成されている。電源表示灯２０３０１ａは、操作表示灯とは異なる色（例えば赤色）のＬＥＤ（発光ダイオード）により構成され、消灯、点滅、点灯の３状態により、ＡＣ電源２０３１６、ＤＣ電源２０３１５（停電用に電子投票装置に内蔵された内部バッテリ又は電子投票装置に接続した外部バッテリ）等の電源駆動状態の確認表示を行なう。例えば、ＬＥＤ消灯状態をＡＣ電源供給駆動中、ＬＥＤ点滅状態をＡＣ電源供給無し、かつ外部バッテリ接続無し（内蔵バッテリ駆動中）、ＬＥＤ点灯状態をＡＣ電源供給無し、かつ外部バッテリ接続駆動中などと定義することにより、電子投票装置から離れた投票立会人等が電源状態を常に視覚的に監視することができる。操作表示灯２０３０１ｂは、上記した電源表示灯とは異なる色（例えば緑色）のＬＥＤにより構成され、消灯、点滅、点灯の３状態により、投票状態の確認表示を行なう。
【００４３】
例えば、ＬＥＤ点灯状態を投票中、ＬＥＤ消灯状態を投票待ち受け中、ＬＥＤ点滅状態をエラー発生時などと定義し、投票管理者や投票立会人が不正操作が行われていないかどうか、電子投票装置２０３から離れた位置から監視することができる。エラー発生の例としては、電源スイッチを格納するフロントドア２０３２が投票中に開いたことをフロントドア開閉センサ２０３１０（図１１に図示）で検出した場合、後述する投票カードの読取エラーが発生した場合等が挙げられる。ポール２０３０１ｃは、伸縮自在な４段式ポールであり、先端部に２色のＬＥＤ（緑、赤）を取付けた構造となっている。本実施例では、最大延長時約１１０ｃｍの長さを有し、記載台（高さ７５ｃｍ）に設置した際の高さが、有権者の平均的な身長よりも高くなるようにして、投票所内の投票管理者や投票立会人が監視しやすいように設定されている。
【００４４】
電子投票装置２０３は、投票確定ＬＥＤ２０３４を有している。投票確定ＬＥＤ２０３４とは、選挙人による候補者選択確認後、原本用メディア４０８に投票データ４０７及び投票ログ４０７５が正常に記録された場合、投票データ４０７の投票確定が完了したことを示す表示ＬＥＤである。ただし、投票確定は、後述するように、主たるサーバより記録完了の通知を受信した時点で成立する。また、投票確定ＬＥＤ２０３４は、投票操作中に不測の障害が発生した場合に、投票が完了しているか否かを明確にさせる機能をも有している。
【００４５】
電子投票装置２０３は、カード挿入ガイドＬＥＤ２０３２ａを有する。カード挿入ガイドＬＥＤ２０３２ａとは、カード記録読取手段２０３２の挿入口を投票者に対して明示するためのランプである。カード挿入ガイドＬＥＤ２０３２ａは、点灯状態が投票カード４０６（あるいは運用カード４０５）が挿入中、点滅状態が投票カード４０６が（あるいは運用カード４０５）未挿入又はカード抜取り待ち中であることを意味する。
電子投票装置２０３は、電源ランプ２０３０８（以下、ＡＣ入力確認用ＬＥＤともいう）を有する。電源ランプ２０３０８は、商用電源であるＡＣ１００Ｖ（５０／６０Ｈｚ）が入力されているか否かをモニターするための、緑色ＬＥＤである。
【００４６】
図９は本実施例に適用される電子投票装置２０３の外装の一例を示す正面図（フロントドアオープン時）である。フロントドア２０３２の内部には、電源スイッチ２０３２が格納されている。投票時においては、フロントドア２０３２は、ロックブラケット２０３０ｂ部分に小型の南京錠２０３０ａにより、投票管理者が施錠を行なうので、第三者が不正にフロントドア内部に触れることが禁止されている。なお、同図には図示されていないが、フロントドア開閉センサも格納されており、不測のフロントドアの開錠を監視するための二重鍵の機能を果たしている。
【００４７】
サーバ２５０，２５１の原本用メディア用スロットに装着される原本用メディア４０８とは、選挙人により、候補者選択確認後最初に投票データ４０７が記録される記録媒体をいう。通常は投票データ記録後、投票ログ４０７５も記録される。投票所へ送付される原本用メディア４０８は、一般的にデータが何も記録されていないブランクメディアであり、投票データは「ゼロ票」である必要がある。また、複写用メディア用スロットに装着される複写用メディア４０９とは、原本用メディア４０８のバックアップ用として、原本用メディアに投票データ記録後に同一データが複写記録される媒体をいう。投票所へ送付される複写用メディアは、電子投票装置２０３を立ち上げるための投票プログラム４０４、候補者データ４０１、投票カード認証キー４０３等のデータが供給される場合もある。これらの記録媒体として、ＦＤ等や、書き換え型コンパクトディスク（ＣＤ−ＲＷ：Ｃｏｍｐａｃｔ  Ｄｉｓｋ  Ｒｅｗｒｉｔａｂｌｅ）等の様々な電磁的記録媒体（電子的方式、磁気的方式その他人間の知覚によっては認識することのできない方式で作られる記録であって、電子計算機による情報処理の用に供されるものに係る記録媒体）を使用することが可能であるが、本実施例においてはメカ部不要の不揮発性メモリであるコンパクト・フラッシュ・メモリカード（ＣＦ：Ｃｏｍｐａｃｔ  Ｆｌａｓｈ）を使用することにより、故障要因を排除することとしている。
【００４８】
これらのコンパクト・フラッシュ・メモリカードは、コンパクト・フラッシュ・メモリカードアダプター（メモリカードソケット）を使用して、原本用メディア用スロット２０３０３、複写用メディア用スロット２０３０４に装着される。
メモリカードソケットは、コンパクト・フラッシュ・タイプ１専用ＰＣＭＣＩＡ（ＰＣＭＣＩＡ：Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ：ＰＣカードの規格管理を行っている団体）  インターフェースカードを使用することができる。原本用メディア用スロット２０３０３、複写用メディア用スロット２０３０４は、ダブルプッシュボタンタイプ（対メディアソケット）、すなわちメディア脱着レバーが一度目のプッシュ操作で脱着操作が有効となり、二度目のプッシュでメディアが脱着される機構タイプのもので構成されており、装着されたメモリカードを容易に脱着可能である。
【００４９】
電源スイッチ２０３２は、電子投票装置２０３の、ＡＣ１００Ｖ商用電源の投入・切断を行なうスイッチである。実際の電源電圧の入力状態は、電源ランプ２０３０８又は電源表示灯２０３０１ａ等で確認することができる。
【００５０】
図１０は本実施例に適用される電子投票装置２０３の外装の一例を示す背面図である。電子投票装置２０３は、ボリューム２０３３ａ、電源ケーブル、外部ディスプレイ端子２０３０２等を有している。ボリューム２０３３ａは、上記したスピーカ２０３３の音量を調整するために用いられる。装置背面部分に、ボリューム２０３３ａを配置したのは、投票中において、選挙人がみだりにボリューム操作を行なうこと防止するためである。一方、施錠されたフロントドア２０３２内部に配置しなかったのは、必要なときは投票立会人が投票プログラムを中断させることなく随時調整を行なうことを可能とするためである。なお、ディスプレイユニット２０３１を使用せずに、音声ガイダンスによる投票を行なう選挙人がバリアフリー用ヘッドホン２０３９１を使用する場合には、バリアフリー用ヘッドホン２０３９１をヘッドホン端子２０３９に接続した際に、スピーカ音量が自動的に切断される。ヘッドホンの音量調整は、付属の音量調整機能を用いて行なう。
【００５１】
電子投票装置２０３は、外部ディスプレイ端子２０３０２を有している。外部ディスプレイ端子２０３０２には、例えば、頭部に装着して使用する視覚用ディスプレイであるヘッドマウントディスプレイを接続することが可能である。これは、起き上がることが困難な選挙人や、不随意運動を伴う肢体不自由の選挙人のようにディスプレイユニット２０３１を継続的に視野に入れることが難しい選挙人が、ディスプレイユニット２０３１の代わりに使用することができる。
【００５２】
図１１は、本実施例に適用される電子投票装置２０３内部のハードウェア構成の一例を示す図である。マザーボード４５０は、その基板上に、ＣＰＵ４５１（ＣＰＵ：Ｃｅｎｔｒａｌ  Ｐｒｏｃｅｓｓｉｎｇ  Ｕｎｉｔ）、ＲＯＭ４５２（ＲＯＭ：Ｒｅａｄ  Ｏｎｌｙ  Ｍｅｍｏｒｙ）、ＲＡＭ４５３（ＲＡＭ：Ｒａｎｄｏｍ  Ａｃｃｅｓｓ  Ｍｅｍｏｒｙ）、各種機器を接続するためのバスやコネクタ等を有している。
ＲＯＭ４５２は、ＯＳとハードウェアの間のデータ受け渡しを制御する基本ソフトであるＢＩＯＳ（ＢＩＯＳ：Ｂａｓｉｃ  Ｉｎｐｕｔ／Ｏｕｔｐｕｔ  Ｓｙｓｔｅｍ）を格納する読み取り専用メモリである。  ＲＡＭ４５３は、揮発性のメインメモリであり、複写用メディア４０９よりロードされた投票プログラム４０４や候補者データ４０１等のデータを投票の間だけ一時的に格納するＲＡＭディスクとして機能する。
【００５３】
シリコンディスク４５４（ｓｉｌｉｃｏｎ  ｄｉｓｋ）は、コンパクト・フラッシュ（登録商標：以下ＣＦと記す）メモリカードを使用したディスクメモリであり、ＩＤＥ規格（ＩＤＥ：Ｉｎｔｅｇｒａｔｅｄ  Ｄｅｖｉｃｅ  Ｅｌｅｃｔｒｏｎｉｃｓ）のインターフェースにより、マザーボード４５０と接続されている。シリコンディスク４５４には、ＯＳ４１１（ＯＳ：Ｏｐｅｒａｔｉｎｇ  Ｓｙｓｔｅｍ）及び各種ドライバが格納されており、システムディスクとして機能する。一般的に使用されるシステムディスクであるハードディスク（ＨＤ：Ｈａｒｄ  Ｄｉｓｋ）と異なり、磁気ヘッドのような物理的な駆動部分がないので故障率が低く、しかも高速アクセスが可能である。以下、シリコンディスク４５４をシステムディスク４５４ともいうこととする。
【００５４】
マザーボード４５０には、ＶＲＡＭ４５６及び、ＬＣＤ２０３１１がＬＶＤＳ（ＬＶＤＳ：Ｌｏｗ  Ｖｏｌｔａｇｅ  Ｄｉｆｆｅｒｅｎｔｉａｌ  Ｓｉｇｎａｌｉｎｇ  高速、低消費電力の画像情報汎用インターフェース標準）により接続されている。ＬＣＤ２０３１１は、大きさが対角１５インチ（３８．１ｃｍ）のＴＦＴ液晶（ＴＦＴ：Ｔｈｉｎ  Ｆｉｌｍ  Ｔｒａｎｓｉｓｔｏｒ薄膜トランジスタ）であり、解像度１０２４×７６８ピクセル、ＲＧＢ６４階調２６万色のカラー画面を、１７０ｃｄの明るさで表示できる。
【００５５】
ＬＣＤ２０３１１上に重ねて配置された透明タブレットであるタッチパネル２０３１３は、ＲＳ−２３２規格（直列データ伝送用の標準インターフェース）によりマザーボード４５０と接続されており、大きさが対角１５インチ、分解能１０２４×１０２４画素の性能を有する。タッチパネル２０３１３の入力操作の検出方式は、水や埃に対する耐環境性に優れる抵抗膜方式を用いることが好ましい。なお、抵抗膜方式とは、２枚のガラスの間に設けられた電極（透明導電性基板）が指やスタイラスペンの押圧によって通電するのを電気的に検知するものである。
【００５６】
カードリーダライタ２０３２は、本実施例に適用される投票カード４０６または運用カード４０５の一例である、ＩＣカードの読み出しまたは書込みを行なう装置であり、マザーボード４５０とＲＳ−２３２インターフェースにより接続される。カードリーダライタ２０３２は、投票カード４０６又は運用カード４０５を自動で搬入及び排出を行なう。カードの搬送速度は約２００ミリメートル毎秒であり、搬送時間は１／４秒である。
【００５７】
スピーカ２０３３は、音声ガイダンス用であり、非障害者、運動機能障害者共に対応する。電子投票装置２０３のカード挿入口近傍に配置される。
音量調整用ボリューム２０３３ａは、スピーカ音量の調整を行なう。ヘッドホンの音量には影響しない。
【００５８】
状態表示灯２０３０１は、緑色ＬＥＤである操作表示灯２０３０１ｂ及び赤色ＬＥＤである電源表示灯２０３０１ａの２色のランプから構成されている。操作表示灯２０３０１ｂは、ＧＰＩＯ規格（ＧＰＩＯ：Ｇｅｎｅｒａｌ  Ｐｕｒｐｏｓｅ  Ｉｎｐｕｔ／Ｏｕｔｐｕｔ）インターフェースにより、マザーボード４５０と接続されており、投票状態の確認表示を行なう。操作表示灯２０３０１ｂの表示は、ランプの点灯、消灯、点滅の３状態を用いて表現される。例えば、点灯を投票中、消灯を投票待ち受け中、点滅をエラー発生時を表すように定義する。
【００５９】
一方、電源表示灯２０３０１ａは、直流電源（ＤＣ電源ともいう）２０３１５に接続されており、電源駆動状態の確認表示を行なう。電源表示灯２０３０１ａも、同様に上記の３状態を用いて表現できる。例えば、消灯をＡＣ電源（交流電源ともいう）供給駆動中を表し、点滅をＡＣ電源供給無し、かつ外部電池２０３１６接続無し（すなわち内蔵電池２０３１４駆動中）を表し、点灯をＡＣ電源供給無し、かつ外部電池２０３１６接続駆動中などと定義する。なお、外部電池２０３１６とは、電子投票装置２０３の外部に専用接続コネクタにて接続されるバッテリをいい、長期停電時の投票を可能にする。実施例としては、車載用バッテリが挙げられる。
【００６０】
投票確定ＬＥＤ２０３４は、選挙人による候補者選択確認後、主たるサーバより投票結果記録完了の通知を受信した場合、投票データの投票確定が完了したことを選挙人に報知するための表示ＬＥＤである。投票確定ＬＥＤ２０３４は、マザーボード４５０とＧＰＩＯインターフェースにより接続されている。投票確定ＬＥＤ２０３４が、点灯保持状態のときは、投票データの原本用メディアへの正常記録時を表し、消灯状態のときは投票カード抜き取り時を表すように定義する。投票確定ＬＥＤ２０３４は、ハードウェア制御により点灯及び消灯を行なうため、たとえ投票操作中にソフトウェアに起因するハングアップ等の不測の障害が発生した場合においても点灯状態が保存され、エラー発生時点で投票が完了していたか否かを明らかにすることが可能である。
【００６１】
このように本実施例に適用される電子投票装置２０３には、投票管理者や操作者のためにＬＣＤ２０３１１による画面表示以外に動作状態を示す表示機能が備わっている。これらの表示状態は、ＧＰＩＯでラッチされているため、投票プログラム４０４が停止状態であっても、電源が通電状態であり、回路が動作していれば、その情報は保存される。
【００６２】
カードガイドＬＥＤ２０３２ａは、カードリーダライタ２０３２のカード挿入口に複数個配置され、投票カード４０６及び運用カード４０５の挿入又は抜き取りの案内を選挙人に対して行なうためのＬＥＤである。カードガイドＬＥＤ２０３２ａは、マザーボード４５０とＧＰＩＯインターフェースにより並列接続されている。カードガイドＬＥＤ２０３２ａは、点灯状態が、ＩＣカード挿入中を表し、点滅状態が、ＩＣカード挿入待ち状態を表す。
【００６３】
電源ＬＥＤ２０３０８（ＡＣ入力確認用ＬＥＤともいう）は、ＡＣ電源（日本国内の商用交流電源にあっては交流１００Ｖ、周波数５０Ｈｚ又は６０Ｈｚのもの）が供給されていることを監視するためのＬＥＤである。電源ＬＥＤ２０３０８は、直流電源２０３１５とＧＰＩＯインターフェースにより接続され、直流電源２０３１５に対して入力されるＡＣ電源の電圧を監視する。電源ＬＥＤ２０３０８は、点灯状態がＡＣ電源供給時、消灯状態がＡＣ電源断時を表す。
【００６４】
ジャンクション基板４５５（ジャンクションボードともいう）は、マザーボード４５０とＲＳ−２３２インターフェースにより接続されている。ジャンクション基板とは、基板上にバリアフリー対応の専用キーボード、又はヘッドホン若しくはプッシュスイッチ等を接続することにより、通信制御やデータ通信を行なう専用基板である。ジャンクション基板４５５上には、運動機能障害用プッシュスイッチ端子２０３７、視覚障害者用専用キーボード端子２０３８、ヘッドホン端子２０３９が配置され、バリアフリー対応のオプション装置を接続することができる。運動機能障害用プッシュスイッチ端子２０３７には、電子投票装置２０３のタッチパネル２０３１３による入力が困難な、運動機能障害を有する選挙人が対象とした入力機器である３．５φメーク接点式のプッシュスイッチが接続される。
【００６５】
当該選挙人は、当該プッシュスイッチを使用して、スキャン画面（選択項目が自動的に順次切り替わる投票画面）に従い投票を行なうことができる。視覚障害者用専用キーボード端子２０３８及びヘッドホン端子２０３９には、視覚障害者用専用キーボード２０３８１及び音量調整付きヘッドホン２０３９１が各々接続される。視覚障害を有する選挙人は、机または手に持って入力可能な専用キーボード２０３８１と音声投票用ガイダンスの音量調整付きヘッドホン２０３９１の併用により、音声投票を行なうことができる。視覚障害者対応の音声投票用キーボード（運動機能障害者対応兼用）は、点字が施された６個のファンクションキー（○、×、←、→、△、平たいボタン）から構成され、上下・左右共に２６ｍｍピッチを有する。ジャンクション基板４５５上のヘッドホン端子２０３９に音量調整付ヘッドホン２０３９１が接続された場合には、スピーカ２０３３への接続が自動的に切断される。
【００６６】
ＣＬＯＣＫ４５７（内蔵時計ともいう）は、マザーボード４５０上に装着された時計モジュールである。ＣＬＯＣＫ４５７による時刻の情報は、例えば、投票の監査記録（監査証跡）として、投票操作を含む動作状態を記録した投票ログ４０７５を作成する際に使用する。
【００６７】
図１２は、本実施例に適用される電子投票装置２０３内部のＲＡＭ４５３内部のデータ構造の一例を示す図である。ＲＡＭ４５３は、投票が行われている間、投票プログラム４０４を一時的に格納する投票プログラム領域４０４ｂを有する。投票プログラム４０４は、選挙データ作成システム１００における選挙データメディアコピー機１０２において、選挙データマスター４００から複写用メディア４０９に複製されて、投票所システム２００に配布されたものである。複写用メディア４０９が、複写用メディア用スロット２０３０３を介して電子投票装置２０３に装着されると、プログラムローダー４３６により、投票プログラム４０４がＲＡＭ４５３上の投票プログラム領域４０４ｂにロードされる。
【００６８】
ＲＡＭ４５３は、候補者データ４０１を格納する候補者データ領域４０１ｂを有する。
ＲＡＭ４５３は、投票カード４０６及び運用カード４０５の読取に係る認証キー４０３を格納する認証キー領域４０３ｂを有する。
ＲＡＭ４５３は、発行機２０１が発行した乱数である投票所ＩＤを格納する投票所ＩＤ領域４０５５ｂを有する。
ＲＡＭ４５３は、選挙人による投票データ４０７がサーバでの記録処理が行われるまでの間、一時的に投票データ４０７を格納する投票データ領域４０７ｂを有する。このキャッシュ領域は、固定されたアドレスに存在するわけではない。
空きのある番地に適宜割り振られる。
【００６９】
ＲＡＭ４５３は、投票ログ４０７５を格納する投票ログ領域４０７５ｂを有する。
ＲＡＭ４５３は、後述するシステムディスクに記録されたＯＳ４１１及びドライバ、投票プログラム４０４、候補者データ４０１等を複製して格納するローカルディスク領域４０７５ｂを有する。
【００７０】
図１３は、本実施例に適用される電子投票装置２０３内部のシステムディスクとして用いられるシリコンディスク４５４内部のデータ構造の一例を示す図である。
シリコンディスク４５４は、プログラムローダー４３６を格納する領域を有する。プログラムローダー４３６は、投票プログラム４０４をサーバに装着された複写用メディア４０９よりロードするプログラムである。
シリコンディスク４５４は、電子投票装置シリアル番号記録部２０３ｓを格納する領域を有する。
【００７１】
シリコンディスク４５４は、Ｉ／Ｏ制御部４１２を格納する領域を有する。Ｉ／Ｏ制御部４１２は、データの入出力の際、データを１ビットずつ連続的に入力又は出力する制御を行なうためのプログラムである。
シリコンディスク４５４は、ウインドウ制御部４１３を格納する領域を有する。ウインドウ制御部４１３  は、タッチパネルＬＣＤ２０３１などに表示される画面の中で、枠などによって区切られた表示部分の管理を行なうためのプログラムである。
シリコンディスク４５４は、ファイル制御部４１４を格納する領域を有する。ファイル制御部４１４は、ファイルの登録、追加、修正、削除などのファイル保守、特定ファイルへのアクセスを制限するファイル保護などを行なうためのプログラムである。
【００７２】
シリコンディスク４５４は、カード制御部４１５を格納する領域を有する。カード制御部４１５は、カード発行機２０１が発行した投票カード４０６または運用カード４０５の搬入、搬出及び、読取り及び書き込みなどを制御するためのプログラムである。
シリコンディスク４５４は、タッチパネル制御部４１６を格納する領域を有する。タッチパネル制御部４１６  は、タッチパネル２０３１３上でのタッチパネルからの入力を制御するためのプログラムである。
シリコンディスク４５４は、ジャンクション基板制御部４１８を格納する領域を有する。ジャンクションボックス制御部４１８は、バリアフリー対応入出力機器接続端子２０３７、２０３８、２０３９、２０３０２を介して電子投票装置２０３に接続される各種の外部入出力装置を制御するためのプログラムである。
【００７３】
シリコンディスク４５４は、ＯＳ４１１を格納する領域を有する。ＯＳ４１１は、特に限定されるものではないが、例えば、米国マイクロソフト社製ＯＳである、ウィンドウズ（登録商標）ＮＴエンベデッドを使用することが可能である。
このＯＳ４１１は、機器制御に特化した組み込み型ＯＳであり、マウスやキーボードなどの外部入力装置がない状態でも動作することが可能である。そして、シリコンディスクに記録されたＯＳその他のシステムディスクをＲＡＭ４５３のローカルディスク領域４５４ｂ上にコピーして動作させることが可能である。
【００７４】
なお、シリコンディスク４５４は、工場出荷時に、必要なプログラムデータと固有の機器管理用シリアル番号である電子投票装置シリアル番号記録部２０３ｓを書き込み後、ライトフィルター処理され、読み出し専用メモリ（ＲＯＭ）となる。本処理により、電子投票装置２０３でのシステムディスクの書き換えはできないこととなる。
【００７５】
図１４は、本実施例に適用される電子投票装置２０３内部のＲＡＭ４５３に、サーバに装着された複写用メディア４０９よりロードされて格納される投票プログラム４０４の構造の一例を示す図である。
投票プログラム４０４は、カード読取部４３１を有する。カード読取部４３１は、ＩＣカードなどの形態で提供される投票カード４０６又は運用カード４０５が、カード記録読取手段２０３２に搬入された後、カードに記録されたデータを読み取るのを制御するためのプログラムである。
【００７６】
投票プログラム４０４は、候補者データ読取部４３２を有する。候補者データ読取部４３２は、ＲＡＭ４５３上に格納された候補者データ４１５を構成するデータベース（図１５〜図２１において後述する）の電子的な読取を制御するためのプログラムである。
投票プログラム４０４は、投票画面作成部４３３を有する。投票画面作成部４３３は、選挙人が投票を行なう際にＬＣＤ２０３１１に表示される画面の作成を制御するためのプログラムである。画面作成に必要な候補者情報又はレイアウトの情報は、候補者データ４０１に含まれる後述するデータベース（後述する図１９における固定画面レイアウトテーブル４０１ｄ、及び図２０における投票画面レイアウトテーブル４０１ｅ）上から読み取られる。
【００７７】
投票プログラム４０４は、投票データ記録部４３４を有する。投票データ記録部４３４は、選挙人の投票データ４０７（投票結果）を、主たるサーバに投票データを通知し、サーバよりの記録完了を受信することを制御するためのプログラムである。
【００７８】
投票プログラム４０４は、投票制御部４３５を有する。投票制御部４３５は、選挙人が、投票操作することによる、投票画面の切り替えを制御するためのプログラムである。投票画面には、投票可能な候補者を一覧表示する候補者選択画面（図４４に図示）、選挙人が仮選択した候補者を表示し投票意思の確認を行なう候補者確認画面（図５３に図示）等がある。
投票プログラム４０４は、ＯＳ４１１としてウィンドウズ（登録商標）を用いる場合には、このＯＳ４１１に依存する簡易プログラミング言語であるビジュアル・ベーシック（Ｖｉｓｕａｌ  ＢａｓｉｃＴＭ）を使用して作成するのが便利である。
【００７９】
また、投票プログラム４０４は、サーバに装着された電磁的記録媒体（複写用メディア４０９）を介して供給されるアプリケーションプログラムであって、電子投票装置２０３への常駐は出来ず、電源投入毎にプログラムローダー４３６によりＲＡＭディスク４５３に新たにロードされる。投票プログラム４０４の供給形態は、適当な圧縮形式ファイルであり、サーバに装着された電磁的記録媒体よりロードするにあたり、プログラムローダー４３６により、同プログラムの正当性確認を行なうことで改ざんの有無を確認する。正当性の確認は、誤り検出用符号の算出比較により実施する。プログラムロード後、更に圧縮解凍処理時のＣＲＣチェック等の確認により、エラー検出を行なう。
【００８０】
図１５は、本実施例に適用される電子投票装置２０３内部のＲＡＭ４５３に格納される候補者データ４０１の構造の一例を示す図である。候補者データ４０１は、テキスト形式のファイルとして存在する６種類のテーブル（表）から構成されている。すなわち、第１に実施選挙の種類を識別する選挙ＩＤ毎に存在する候補者テーブル４０１ａ１〜４０１ａｎ、第２に政党テーブル４０１ｂ、第３に投票所グループテーブル４０１ｃ、第４に固定画面レイアウトテーブル４０１ｄ、第５に選挙ＩＤ毎に存在する投票画面レイアウトテーブル４０１ｅ１から４０１ｅｎ、第６に表示メッセージテーブル４０１ｆ）が互いに関連付けられたリレーショナルデータベース（ＲＤＢ：Ｒｅｌａｔｉｏｎａｌ  Ｄａｔａ  Ｂａｓｅ）の構造を有する。
【００８１】
さらに、これらのテーブルから参照されるバイナリ形式のファイルである画像ファイル（候補者画像データや政党画像データ）及び音声ファイル（音声ガイドデータ等）が存在する。これらは、各々のテーブルの中から、ファイルの相対位置（パス）を参照することにより関連付けられている。バイナリファイルの参照方法は、あらかじめ指定されたディレクトリに存在する音声または画像ファイルに対しては、テーブルのフィールド部にファイル名を指定することで参照することができる。ディレクトリによるファイル管理は、基本ソフトであるＯＳの機能を利用する。
【００８２】
図１６は、本実施例に適用される候補者データ４０１を構成する候補者テーブル４０１ａ１（選挙ＩＤ＝１用）の一例を示す図である。投票所テーブル４０１ｃは、候補者を識別する候補者ＩＤ４０１ａ１ａ、立候補届出名４０１ａ１ｂ、候補者名ふりがな４０１ａ１ｃ、出身地４０１ａ１ｄ、所属する政党を識別する政党ＩＤ４０１ａ１ｅ等のフィールドを有するテーブルとして構成されている。例えば、候補者ＩＤ４０１ａ１ａのフィールドの値が「００００１」であるレコードは、立候補届出名が「木戸  孝允」、候補者名ふりがな４０１ａ１ｃ「きどたかよし」、出身地４０１ａ１ｄ「山口県」、政党ＩＤ４０１ａ１ｅ「００２」という一連のデータを格納する。
【００８３】
また、候補者テーブル４０１ａ１には、候補者氏名の別の読みも登録されている。従来の自書式投票においては、投票所の記載台に掲示された立候補者の届出名を投票用紙に書き写すだけでよく、実際の候補者名前の読み仮名を知らないでも投票を行なうことができた。例えば、立候補者の登録名が「河野太郎」であった場合、読み仮名が「こうのたろう」なのか「かわのたろう」なのか忘れた、あるいは知らない場合でも、投票用紙には「河野太郎」と書き写すだけで投票することが可能であった。ところが、候補者の頭文字を入力する場合には、読み仮名を知らない限り、検索をすることができない、という制約が生じるおそれがある。かかる、制約が生じないようにするために、本実施例では、間違やすい候補者氏名の別の読み仮名を用意して、上記例では、「こ」又は「か」のいずれを選択したとしても、候補者の「河野太郎」が表示されるようにしている。すなわち、本実施例によれば、立候補者のいろいろな読み方を候補者データとして同時に記録しておくことにより、間違えられそうな読み仮名のいずれでも検索を行なうことが可能となる。
【００８４】
図１７は、本実施例に適用される候補者データ４０１を構成する政党テーブル４０１ｂの一例を示す図である。政党テーブル４０１ｂは、政党ＩＤ、言語ＩＤ、政党名等のフィールドを有している。例えば、政党ＩＤのフィールド値が「００２」であるレコードは、政党名が「長州党」であり、上記した木戸孝允が長州党に所属することを意味する。政党ＩＤのフィールドは、データベース技術における主キーと呼ばれるものであって、図１６における政党ＩＤのフィールドとリレーションシップがとられている。
【００８５】
図１８は、本実施例に適用される候補者データ４０１を構成する投票所グループテーブル４０１ｃの一例を示す図である。投票所グループテーブル４０１ｃは、選挙の種類を識別する選挙ＩＤ及び選挙名、選挙区を識別する選挙区ＩＤ及び選挙区名等のフィールドを有している。選挙ＩＤのフィールドは、投票カード４０６に記録された投票可能な選挙ＩＤの値を投票プログラム４０４が読み込んだ際に、必要な選挙ＩＤのレコードのみが抽出され、使用されることとなる。
【００８６】
図１９は、本実施例に適用される候補者データ４０１を構成する固定画面レイアウトテーブル４０１ｄの一例を示す図である。固定画面レイアウトテーブルは、選挙の種類に無関係な共通の画面レイアウトを規定するためのテーブルである。固定画面レイアウトテーブル４０１ｄは、選挙人（投票者）の身体的な障害の種類を識別する選挙人特性ＩＤ２０２１のフィールドを有している。そして、選挙人特性ＩＤ毎のレコードにおいて、表示画面の種類を識別する画面ＩＤ、画面の機能を識別する機能ＩＤ、表示色を規定する前面色及び背景色、表示文字の書体、サイズ、表示するオブジェクトの水平座標、及び垂直座標等のレイアウトのデータを格納するフィールドを有している。画面ＩＤフィールドは、選挙の種類（すなわち選挙ＩＤ）によって全く異なる画面を、その都度作成するのではなく、少数個からなる共通画面の基本レイアウトを規定するためのフィールドである。そして、この共通の基本レイアウトをベースとしたバリエーションを、色やサイズ、座標、位置合わせ情報などを規定するフィールドで実現している。
【００８７】
本実施例による基本レイアウトとしては、単頁用候補者選択画面、候補者確認画面、候補者選択方式確認画面、候補者番号入力画面、候補者選択頁案内画面、棄権確認画面、複数頁用候補選択画面の７種類のレイアウトで十分である。例えば、単記式候補者選挙における候補者選択画面と拘束名簿式比例代表選挙における政党選択画面は、同一の画面ＩＤを用いて、作成することができる。このように、少数の固定画面を共通化することにより、候補者画面作成が極めて容易になり、選管による候補者データ作成の事務の作業負担を軽減することができる。
【００８８】
図２０は、本実施例に適用される候補者データ４０１を構成する投票画面レイアウトテーブル４０１ｅ１（選挙ＩＤ＝１用）の一例を示す図である。投票画面レイアウトデータベース４０１ｅ１は、選挙の種類や、画面に表示すべき立候補者の数、あるいは選挙人特性ＩＤの値によって、異なる画面のレイアウトを規定するためのテーブルである。投票画面レイアウトテーブルは、選挙人特性ＩＤ、画面ＩＤ、機能ＩＤ、前景色、背景色、サイズ、水平座標、垂直座標等のフィールドを有している。テーブルは、投票カード４０６に記録された実施可能な選挙ＩＤに基づいて必要な投票画面レイアウトテーブルを選択し、さらに選挙人特性ＩＤに基づいて、選挙人の障害毎に適した画面レイアウトを規定する。
【００８９】
図２１は、本実施例に適用される候補者データ４０１を構成する表示メッセージテーブル４０１ｆの一例を示す図である。表示メッセージテーブル４０１ｆは、候補者テーブル４０１ａ１又は政党テーブル４０１ｂ若しくは投票所グループテーブル４０１ｃに格納されてない文字列であって、画面に表示すべきものを規定する。例えば、投票プログラム４０４により、メッセージＩＤ「００００１」のレコードが参照されたときは「投票カードをいれてください。」というメッセージを画面に表示し、選挙人に対して投票カード４０６を電子投票装置２０３に挿入することを促すことができる。
【００９０】
図２２は、本実施例に適用されるさーば２５０，２５１内部に格納される原本用メディア４０８のデータ構造の一例を示す図である。原本用メディア４０８とは、選挙人により、候補者選択確認後最初に投票データ４０７が記録される記録媒体を指す。本実施例においては、投票データの記録後に、投票ログ４０７５も記録される。投票所へ送付される原本用メディア４０８は、一般的にデータが何も記録されていないブランクメディアであり、投票データは「ゼロ票」である必要がある。投票データは、投票の秘密保持のため、投票データがランダムな順序で記録される。例えば、８番目の投票者の投票データ４０７を格納する投票データ８領域の隣の領域には、２番目の投票者の投票データ４０７を格納する投票データ２領域が割当てられる。その際に、既に図２で述べたように、複数のファイルを確保しておき、それぞれのファイルに対してランダムに投票データ及び投票ログを割り振るようにする。
【００９１】
図２３は、本実施例に適用されるサーバ２５０，２５１内部に格納される複写用メディア４０９のデータ構造の一例を示す図である。複写用メディア４０９には、選管から配布される投票プログラム４０４、候補者データ４０１、カード認証キー４０３を格納する領域を有している。これらは、上記したように電子投票装置のＲＡＭ４５３にコピーされ用を果たすが、その後もデータは格納されている。そして、原本用メディアの投票データ４０７の複製が、これらに追記される形で記録される。
【００９２】
ところで図２２及び図２３のデータ構造を有する原本用メディア４０８及び複写用メディア４０９は、電子投票における選挙人がいずれの候補者を選択したかの情報を記録する際に、人間の知覚をもってしては認識不可能な方法で記録され、従来の投票用紙による票と形態を異にするものである。電子投票における票を記録する記録媒体は、選挙人による投票情報が電子的又は磁気的又はその他の方式で記録され、コンピュータによる情報処理が可能な記録媒体である。
【００９３】
記録媒体の具体的態様としては、フラッシュメモリが内蔵されたＣＦカードなどが挙げられる。他の規格のメモリカードとして、ＳＤメモリーカード、スマートメディア（登録商標）、メモリースティックなど、マルチメディアカード（登録商標））を用いてもよい。メモリカードは、ハードディスクなどに比べて軽量であり、かつ振動に強いためデータの搬送性、保存性に優れ、しかも安価である。もちろん、電磁的記録媒体として、ＦＤ、光ディスク（ＣＤ、ＤＶＤ）や光磁気ディスク（ＭＯ）などが使用可能であることはいうまでもない。
【００９４】
本実施例では、図２２及び図２３に図示するデータを記録する記録媒体として、１台のサーバに対して２枚のメモリカード（原本用メディア４０８、複写用メディア４０９）を使用する。本実施例においては、これらは、選挙実施前において、選挙データ作成システム１００から投票所システム２００のサーバ２５０，２５１に対して選挙に必要なデータを搬送する際の担体としての機能を果たす。
そして、投票中においてはさーば２５０，２５１に装着され、従来の投票用紙の代替物としての機能、すなわち選挙人が投票する候補者名を電磁的なデータとして確実に記録し保持する機能を有する。
【００９５】
そして、投票後においては、投票所システム２００から開票所システム３００に投票データ４０７を搬送する際の担体としての機能を有する。なお、将来法改正がなされた場合において、本発明をネットワーク型システムとして実施する場合には、電磁的記録媒体４０８、４０９は、選挙データ作成システム１００、投票所システム２００、開票所システム３００の各拠点において、ネットワーク送信を行なう前に、データを拠点内で一時的に記録し、蓄積する機能を有する。本発明における電磁的記録媒体を用いないネットワーク型システムに比較して、ネットワーク障害に対するデータ消失の危険性が極めて低くなる。
【００９６】
図２４は、本実施例に適用される電子投票装置２０３内部に挿入される投票カード４０６又はサーバに挿入される運用カード４０５のデータ構造の一例を示す図である。投票カード４０６又は運用カード４０５には、カードに記録されたデータへのアクセス認証を行なう鍵であるカード認証キー４０３が格納され、電子投票装置２０３のＲＡＭ４５３に記憶されたカード認証キーにより認証が成功した場合にのみ、内部のデータの読み書きが可能となるように構成される。投票カード４０６又は運用カード４０５の内部には、以下のデータが記録されている。
すなわち、市区町村ＩＤ、選挙人の障害の種類を示す選挙人特性ＩＤ２０２１、電子投票装置２０３が表示する言語の種類を区別する言語区分、投票所に固有のＩＤである投票所ＩＤ、指定投票所における投票又は不在者投票若しくは巡回投票等を識別する投票種別、カード発行機２０１により発行された発行年月日、複数の選挙を同日に行なう場合の選挙の数である選挙可能件数、実施される選挙の各々（選挙ＩＤ＝１、２〜ｍ、ｎとして図示）に対して投票権利が有るか未発行かを識別する投票フラグ２０２２等のデータを格納する。
【００９７】
選挙人特性ＩＤは、選挙人名簿に基づいて作成され選挙人に予め郵送された入場整理券の選挙人特性欄の記載に基づいて、投票所の係員が、投票カードを発行する際に記録される。例えば、選挙人特性欄に視覚障害者の記載がある選挙人に対しては、投票カード４０６には、視覚障害者であることを示す選挙人特性ＩＤ＝０１が記録される。この選挙人がこの投票カード４０６を電子投票装置２０３に挿入した場合、投票プログラム４０４が当該選挙人特性ＩＤ２０２１を読み取って、対応する候補者データ４０１をデータベースから参照することにより、視覚障害者用の表示入力モードにより投票を行なうことが可能となる。
【００９８】
なお、データが記録された投票カード４０６又は運用カード４０５のメディアは、ＩＣカードを用いることにより、他の記録方式のカードに比較して多くの情報を、しかもデータのアクセス権を設定したりデータ自体をＴＤＥＳ（ＴＤＥＳ：Ｔｒｉｐｌｅ  Ｄａｔａ  Ｅｎｃｒｙｐｔｉｏｎ  Ｓｔａｎｄａｒｄ）等により暗号化したりすることにより安全に蓄積することが可能である。もちろんＩＣカードの代わりに、磁気カードを使用することも可能であるし、また光記録媒体を使用することも可能である。また、計算機ホログラム（ＣＧＨ：Ｃｏｍｐｕｔｅｒ  Ｇｅｎｅｒａｔｅｄ  Ｈｏｌｏｇｒａｍ）の不可逆記録とＩＣカードのハイブリッドカードを用いることも可能である。また、電子ペーパーとして知られた液晶記録媒体に対して記録を行なうことも可能である。あるいは紙による印字媒体に記録された文字又はバーコードを光学的に読み取るＯＭＲ方式（ＯＭＲ：Ｏｐｔｉｃａｌ  Ｍａｒｋ  Ｒｅａｄｅｒ）を用いてもよい。
【００９９】
投票カード４０６には、憲法１５条に定められた投票の秘密を守るため、投票カード４０６を使用する選挙人を特定可能であるような個人情報は一切記録されていない。したがって、投票カードとして、住民基本台帳カード（住民カード、住基カードともいう）のような個人情報が記録されたカードを利用する場合には、電子投票装置２０３が生成する投票データが、個人情報を読み取らないことを保障するような機能が必要になる。
【０１００】
図２５は、本実施例に適用される投票カード４０６に記録される投票フラグ２０２２のデータ構造の一例を示す図である。投票フラグ２０２２は、投票権利の有無の識別子（トークン）であって、従来においては、投票可能か、投票済みかの値によって二重投票を防止することが行われてきた。ところが、このような従来のトークンは投票カード読取のエラーが発生した際の対処が複雑になるという問題があった。すなわち、選挙人が候補者を選択して確認ボタンに触れて原本用メディア４０８には投票データは記録されたものの、投票カードに投票済みのフラグの記録する際に書込みエラーが発生した場合、果たして投票確定か否かを直ちに判断することが困難になることである。
【０１０１】
そこで、本実施例では、投票フラグとして投票済みのフラグを用いることを廃し、投票可能状態、およびカード未発行の２種類のみとした。つまり、投票済みかどうかの判断は投票カード４０６では行わず、投票確定ＬＥＤ２０３４によりハードウェア的に行なうこととしている。そして、二重投票防止の措置として、投票可能であるフラグを確認した後に、電子投票装置内部で投票カードの初期化を行って排出し、再使用不可能とした。さて、選挙ＩＤ＝１の投票フラグである２０２２ａには「投票可能」が、そして選挙ＩＤ＝３の投票フラグ２０２２ｂには「未発行」が、同様に選挙ＩＤ＝３の投票フラグ２０２２ｃには「投票可能」が記録されている。投票プログラム４０４のカード読取部４３１（図２６において詳述する）において、これらの情報を読み取ると、この選挙人が投票できる選挙が選挙ＩＤ＝１及び選挙ＩＤ＝３であると判断する。そして、候補者データ読取部４３２によりこれらの選挙ＩＤに対応する候補者データ４０１をデータベースの各テーブルから抽出して、投票画面作成部４３３により、候補者数等に応じた画面レイアウトを決定し、図４４に図示するような候補者選択画面を表示する。
【０１０２】
なお、本実施例に適用される投票カード４０６は、投票権利を有する選挙人に対して発行するものであるが、不正投票を排除するため、発行後に投票カードの記録情報により投票権利の有無を確認する用途には用いない。電子投票装置２０３では、障害発生時に可能な限り投票権利の有無についての情報を表示する。
【０１０３】
図２４及び図２５に図示する投票カード４０６又は運用カード４０５が格納するデータは、７ビットのアスキーコード（ＡＳＣＩＩ：  Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ、情報交換用米国標準コード）として記録されている。例えば、選挙人特性ＩＤ２０２１が「３０」というアスキーコードとして記録されている場合には、図６０に図示する選挙人特性ＩＤ２０２１が「００」、すなわち非障害者を意味する。また、投票フラグ２０２２は、投票可能か否かを示すものであるが、１０進数で表したときの０が未発行、１が投票可能な状態であると規定したとすると、例えばアスキーコードでは選挙ＩＤ１に対する投票フラグの「３１」は、投票可能な状態を意味する。なお、投票カード上のデータは全部で２５６バイトのデータから構成されている。
【０１０４】
図２６は、本実施例に適用される投票プログラム４０４を構成するカード読取部４３１の処理の流れの一例を示すフローチャートである。このフローチャートにより実現されるコンピュータプログラムは、投票カード４０６であるＩＣカードの読取処理を行なうサブルーチンプログラムである。このルーチンの初期状態においては、電子投票装置２０３のカード記録読取手段２０３２（カードリーダライタ）の近傍に配置されているカードガイドＬＥＤ２０３２ａが点滅している（ステップＡ１）。
【０１０５】
そして、カードリーダライタ２０３２内にＩＣカードが挿入されたか否かを確認するステップを有する（ステップＡ２）。投票者が投票カード４０６を電子投票装置２０３に挿入し、ＩＣカードがカードリーダライタ２０３２内に存在することが確認されると（ステップＡ３における「ＹＥＳ」、次のステップＡ４において、電子投票装置２０３から投票カード４０６上のＩＣチップに対して、全投票所共通のコードであるカード認証キー４０３が送信され、ＩＣチップ内で受信した電子投票装置２０３からのカード認証キーとカード発行機２０１によりＩＣチップに予め記録されたカード認証キーとを照合し、カードデータへのアクセス権限の認証を行なう。２つの認証キーが一致して認証に成功した場合（ステップＡ５における「ＹＥＳ」）、次のステップに移りカード種別の読取りを行なう（ステップＡ６）。
【０１０６】
認証が拒否された場合（ステップＡ５における「ＮＯ」）、電子投票装置２０３がエラー発生画面を表示し（ステップＡ２３）、投票カード４０６をリーダライタ２０３２から排出する（ステップＡ２４）。排出されたカードは、投票所の係員により回収され、カードが投票カード４０６である場合には、投票者はカード再発行等の適切な処置を受ける。なお、エラー発生は、投票所内で電子投票装置２０３から離れた場所から投票の様子を監視する投票立会人に対し、状態表示ランプ２０３０１（状態表示灯、警告灯ともいう）により、視覚的に報知される。
【０１０７】
ステップＡ５におけるカード認証が成功した場合（ステップＡ５における「ＹＥＳ」）、ステップＡ６においてカード種別の読取処理を行なう。読取可能なカード種別は、投票カードの１種類であり、カード内の所定のカード種別記録領域に記録された識別コード（図２４に「カード種別ＩＤ」として図示）を読み取る。
【０１０８】
以下、カード種別ＩＤの読取りのステップにおいて、投票カード４０６であることが読み取られた場合（ステップＡ７における「ＹＥＳ」）の流れを説明する。挿入されたカードの種別が投票カード４０６であることが読み取られると、ステップＡ８において、投票所ＩＤ（管理識別ＩＤ、管理ＩＤ、あるいは乱数ともいう）４０５５の読取処理を行なう。読み取られた投票所ＩＤが、電子投票装置２０３のＲＡＭ４５３に予め記憶させた投票所ＩＤと一致した場合（ステップＡ９における「ＹＥＳ」）、次の投票権利を確認する次のステップ（Ａ１０））に移る。次のステップでは、投票フラグ２０２２の読取りが行われる（ステップＡ１０）。
【０１０９】
投票フラグ２０２２とは（同日に複数の選挙を実施する場合において）、投票者が選挙の投票権利を有するか否かを識別するコードである。例えば、「０」が未発行、「１」が投票可能な状態であると規定することができる。投票フラグ２０２２の読み取りが正常に行われた場合において（ステップＡ１１における「ＹＥＳ」）、投票フラグ２０２２が「１」投票可能状態である、すなわち投票者が当該選挙に対して未投票であることが読み取られると、投票の態様を規定する次のステップ（Ａ１３）に移行する。ステップＡ１３では、投票カード４０６をカード発行機２０１で発行する際に、選挙人名簿に基づいて投票カード４０６に記録された投票者（選挙人）の身体的な障害の特性を示すコード（選挙人特性ＩＤ２０２１、図６０に図示）の読取りが行われる。
【０１１０】
選挙人特性ＩＤとは、換言すれば、投票者が、電子投票装置２０３を用いて行なう入力手段（タッチパネル２０３１３、視覚障害者用専用キーボード２０３８１、運動機能障害用プッシュスイッチ２０３７１等）及び表示手段（ＬＣＤ２０３１１、ヘッドマウントディスプレイ、点字ディスプレイ、音声ガイド等）を規定するコードである。選挙人特性ＩＤ２０２２の値に対する条件分岐を示すステップ（ステップＡ１４）において、選挙人特性ＩＤが００、すなわち非障害（健常者）であったとすると、入力手段としてタッチパネル２０３１３、表示手段としてＬＣＤ２０３１１が選択され、使用可能かどうかの確認処理を行なう（ステップＳ１５ａ）。
【０１１１】
また、選挙人特性ＩＤが０２、すなわち視覚障害者であった場合には、ステップＡ１５ｃにおいて、入力手段として視覚障害者用専用キーボード２０３８１と表示手段として音量調整付きヘッドホン２０３９１が選択される。このように、投票カード４０６に記録された投票者の選挙人特性ＩＤに対応する入出力機器が使用可能かどうかチェックされると、次のステップＡ１６において、投票カード４０６の初期化処理が行われる。このステップは、使用済みの投票カードの再使用による二重投票の防止に万全を期すために、投票カードのデータ記録領域を再フォーマットすることにより、全データを抹消するステップである。以上により、カード種別読取のステップＡ４〜Ａ５において投票カード４０６であることが読み取られた場合のカード読取ルーチンは終了する。
【０１１２】
図２７は、本実施例に適用される投票プログラム４０４を構成する投票制御部４３５の処理の流れの一例を示すフローチャートである。投票制御部４３５は，投票カードの読み取り後，選挙人に対して候補者の一覧を表示して，候補者の選択を促す画面を表示するサブルーチンプログラムである。まず，ステップＥ０ａにおいて、候補者データ４０１を構成する候補者テーブル４０１ａより、選挙の種類を特定する選挙ＩＤに対応する候補者の数、即ち、候補者ＩＤで特定されるレコード総数を読み取って、ＲＡＭ４５３に記憶する。
【０１１３】
次に、ステップＥ０ｂにおいて、一つの画面に表示する候補者名を付したボタンの最大数の設定の読取りを行なう。単一画面に表示するボタンの数は、予め、選挙データ作成システム１００における選挙データ管理作成機１０１によって、候補者データ４０１の作成時に設定される数値である。具体的には、選挙データ管理作成機１０１が有する専用ソフトウェア（画面エディタ）によって、候補者データ４０１の中の投票画面レイアウトデータベース４０１ｅ（図２０に図示）の中で、ボタンのサイズや位置、文字サイズ等の画面レイアウトの設定が行われる。原則として、公平性の観点から、候補者はなるべく一つの画面内に全員を表示することが望ましいものである（図４４を参照）。
【０１１４】
しかしながら、立候補者が５０人を超えるような選挙の場合には、一画面では表示できない場合が起こりうる。表示画面（ＬＣＤ２０３１１）の表示面積と、候補者の氏名を付したボタンの面積との兼ね合いより、表示可能なボタンの数には上限があるからである。例えば、図４６は、１５インチの表示エリアに対して２８名分のボタンを配置した例を図示したものであるが、これ以上ボタンの数を増加すると、文字サイズが小さくなって視覚しづらくなったり、隣り合うボタン同士が接近することにより押し間違いが起こったりする等の不都合が生じる。従って、そのような場合には、候補者を複数の頁に分割したり、ランダムに表示させたりする技術が開示されている。
【０１１５】
しかし、そのような方法では、掲載される頁による不公平の問題が発生する。
これを回避するために特開平７−５７０２１号公報では、乱数を用いて複数頁に表示される候補者の順番をランダムにする技術が開示されている。しかしながら、かかる公開技術も、従来の公職選挙においてしばしば見られるような、複数の立候補者を擁立する所属政党が指定する表示順位を反映させて表示することが困難となるという問題が生じる。そこで、本実施例では、単一画面に候補者を一覧表示できない場合に、頁分割を行なうのではなく、候補者の頭文字による検索を行なう構成としている。
【０１１６】
図２７におけるステップＥ０ｂにおいて読み取られる候補者ボタン数は、上記した理由により選挙データ作成システム１００により予め設定される数値である。そして、ステップＥ０ｃにおいて、この一画面に表示し得る候補者ボタン数と、選挙に立候補した候補者の数の比較を行なう。そして、一画面に表示し得る候補者ボタン数が、選挙に立候補した候補者の数と同じあるいは大であった場合には（ステップＥ０ｃの「ＹＥＳ」）、次のステップに移り、一画面にすべての候補者を表示する投票形態である候補者選択画面投票制御部４３５Ａの処理を行い（図２８において詳述する）、処理が終了すると投票制御部４３５のルーチンから抜ける。
【０１１７】
一方、一画面に表示し得る候補者ボタン数が、選挙に立候補した候補者の数よりも小であった場合には（ステップＥ０ｃの「ＮＯ」）、候補者の頭文字を検索することにより該当候補者を表示する投票形態である頭文字選択画面投票制御部４３５Ｂの処理を行い（図２９〜図３３において詳述する）、処理が終了すると投票制御部４３５のルーチンから抜ける。なお、以下の図４６の説明で後述するように、一般のＮインチのディスプレイの場合には、アスペクト比を４：３と仮定すると、Ｉｎｔ（０．２９Ｎ）×Ｉｎｔ（０．８５Ｎ）の個数の候補者ボタンを表示できる。但し、Ｉｎｔ（）は、（）内の数値を超えない最大の整数を表す。そして、このようにして計算された候補者ボタンの数が、候補者数を下回った場合には、ステップＥ０ｃにおいて、図４７に示すような、頭文字選択画面に表示を切り替えるように構成してもよい。
【０１１８】
図２８は、本実施例に適用される投票プログラム４０４を構成する投票制御部４３５における候補者選択画面投票制御部４３５Ａの処理の流れの一例を示すフローチャートである。このサブルーチンプログラムは、選挙に立候補した候補者の全員が単一画面に表示できる場合に実行されるプログラムである。まずステップＥ１において、候補者表示の順序をランダムに表示する設定があるか否かの確認を行なう。候補者のランダム表示は、選挙人により投票カードが挿入されて投票操作が実行される毎に、表示順位を変更する設定であり、公平性の観点から設定することが可能なオプションである。画面内で、同一政党の候補者が２名以上いる場合であって、かつ表示順位が指定されている場合においては、政党内の順位は保ったまま、異なる政党のみの候補者順位を変更することが可能である。
【０１１９】
このようなランダム表示の設定がある場合には（ステップＥ１における「ＹＥＳ」）、ステップＥ２に移り、候補者データ４０１のレコード順序のランダム化処理が行われる。ランダム化処理は、種々の実施形態が可能であるが、例えば以下のようにする。すなわち、この選挙への投票者数を候補者数で割った剰余を計算し、候補者テーブル４０１ａの先頭のレコードから、この数の候補者を先頭から末尾へ移動し、これをこの投票者のこの選挙への投票における候補者テーブル４０１ａとする。ステップＥ２におけるかかる処理が終了すると次のステップＥ３に移る。
【０１２０】
一方、このようなランダム表示の設定がない場合（ステップＥ１における「ＮＯ」）、ステップＥ２をスキップし、ステップＥ３に移る。ステップＥ３では、候補者のボタンを並べる方向の設定をチェックする。このステップの後、ステップＥ４において画面遷移処理を行い、ステップＥ５において候補者選択画面（図４５〜図４７に図示）を表示する。候補者選択画面が表示されると、ステップＥ６において、表示メッセージテーブル４０１ｆにリンクした共通音声データの中から、候補者選択ガイダンス音声を１回だけ再生する。例えば、図４４に示す候補者選択画面に対しては「投票したい候補者の名前に触れてください。投票を途中で終了する場合は、「投票しない」に触れてください」というガイダンス音声を１回だけ再生する。ステップＥ７の条件分岐において、投票者が、画面に表示された候補者ボタンに対して、タッチパネル入力、あるいはバリアフリー・オプションの入力機器（運動機能障害用プッシュスイッチ２０３７１、視覚障害者用専用キーボード２０３８１等）による入力操作を行って、入力が検出されると（ステップＥ７における「ＹＥＳ」）、次のステップに移る。
【０１２１】
また、投票操作方法が自動スキャン投票である選挙人（図６０に図示する選挙人特性ＩＤ＝０５の選挙人）の場合には、ボタンにカーソルが移動して来た間にスイッチを押下することによって次のステップに移る。ステップＥ８においては、入力されたボタンの色と文字色をカーソル点灯時のものに変更し、一定時間（０．２秒程度）点灯のまま待機する。そして、触れられたボタンが選択、入力されたものとして、ステップＥ９において、選択されたボタンに関連付けられた候補者を投票する候補者として記憶する。そして、ステップＥ１０において、候補者選択ガイダンス音声が再生中であれば、再生を停止し、選択した候補者を確認する移行のステップに移る。
【０１２２】
ステップＥ１１においては、かかる画面に遷移するための遷移処理が行われ、ステップＥ１２において、候補者確認画面の表示（図５３に図示）が行われる。
画面の表示が行なわれると、ステップＥ１３において、選択した候補者を表示する候補者確認ガイダンス音声を１回だけ再生する。例えば、「確認してください。よろしければ○に、変更する場合は×に触れてください」というガイダンス音声を再生する。そして、ステップＥ１４では、投票者は以下の操作を行なう。すなわち、投票者は、選択した候補者に投票するために、タッチパネル入力、あるいはバリアフリー・オプションの入力機器（運動機能障害用プッシュスイッチ２０３７１、視覚障害者用専用キーボード２０３８１等）による入力操作を行って「○  投票する」を選択すると（ステップＥ１４における「ＹＥＳ」）、ステップＥ１５において入力されたボタンの色と文字色をカーソル点灯時のものに変更し、一定時間（０．２秒程度）点灯のまま待機する。そして、ステップＥ１６において、候補者選択ガイダンス音声が再生中であれば、再生を停止し、このルーチンを抜ける（「ＲＥＴＵＲＮ」と図示）。
【０１２３】
一方、投票者は、選択した候補者に投票するために、タッチパネル入力、あるいはバリアフリー・オプションの入力機器（運動機能障害用プッシュスイッチ２０３７１、視覚障害者用専用キーボード２０３８１等）による入力操作を行って「×  変更する」を選択すると（ステップＥ１４における「ＮＯ」、かつステップＥ１７における「ＹＥＳ」）、ステップＥ１８において入力されたボタンが点灯して一定時間待機した後に、ガイダンス音声がステップＥ１９において停止して、ステップＥ５に戻り、候補者選択画面を表示する。候補者確認画面の表示は、投票者がいずれかのボタンを選択するまで、継続して表示される（ステップＥ１７における「ＮＯ」）。
【０１２４】
一方、ステップＥ７の条件分岐において、候補者ボタンの入力が検出されず（ステップＥ７における「ＮＯ」）、かつ棄権ボタン（図４４〜図４５では「投票しない」ボタンとして図示）が入力されたことが検出されると（ステップＥ２０における「ＹＥＳ」）、ステップＥ２１において、入力ボタンが一定時間点灯し、ステップＥ２２において、棄権されたことをＲＡＭ４５３に記憶する。そして、ステップＥ２２においてガイダンス音声を停止し、ステップＥ２４において画面遷移処理を行って、ステップＥ２５において棄権確認画面（図５４に図示）を表示し、ガイダンス音声を再生する（ステップＥ２６）。例えば、「確認してください。よろしければ「○」に、変更する場合は「×」に触れてください」というガイダンス音声を再生する。ステップＥ２７の条件分岐において、「○  投票しない」が入力されたことを検出すると（ステップＥ２７における「ＹＥＳ」）、ステップＥ２８において入力されたボタンを一定時間点灯させて待機し、ステップＥ２９においてガイダンス音声の再生を停止し、このルーチンを抜ける（「ＲＥＴＵＲＮ」と図示）。
【０１２５】
一方、ステップＥ２７の条件分岐において、「○  投票しない」ボタンが入力されずに（ステップＥ２７における「ＮＯ」）、「×  変更する」ボタンの入力が検出されると（ステップＥ３０における「ＹＥＳ」）、ステップＥ３１において入力されたボタンを一定時間点灯させて待機し、ステップＥ３２においてガイダンス音声を停止した後に、ステップＥ５に戻り、候補者選択画面を表示する。
なお、棄権確認画面の表示は、「○  投票しない」、「×  変更する」のいずれかのボタンの入力が検出されるまで継続して表示される（ステップＥ３０における「ＮＯ」）。本実施例においては、投票者の意思が棄権ではなく、やむを得ない理由で投票を最初からやり直したい場合には、投票立会人または投票管理者に対してその旨を伝えて投票カードの再発行を受けるように構成される。その場合には、棄権票を開票時に抹消する手続きが必要となるが、同一の投票カードの再使用による二重投票の防止に万全を期すために、このような運用方法をとることが好ましい。
【０１２６】
図２９は、本実施例に適用される投票プログラム４０４を構成する投票制御部４３５における頭文字選択画面投票制御部４３５Ｂの処理の流れの一例を示すフローチャート（１／５）である。このサブルーチンプログラムは、選挙に立候補した候補者の全員が単一画面に表示できない場合に、頭文字選択を行って投票を行なうために実行されるプログラムである。まずステップＦ１において、画面に表示する頭文字のリストを取得する。画面に表示する頭文字は、五十音の平仮名（又は片仮名）文字であり、濁音や半濁音その他の文字は表示しない（図４７に表示例を図示）。濁音と半濁音については、清音に関連付けて、表示させるようにする。例えば、「か」のボタンについては、「か」及び「が」を関連付ける。
「は」のボタンについては「は」、「ば」、「ぱ」を関連付ける。さらに、その他の関連付けも行ってもよい。例えば、旧字体の平仮名である「ゐ」や「ゑ」について、各々「い」及び「え」に対して関連付けを行ってもよい。このようにして、ステップＦ１では、清音の５０音に対して、濁音、半濁音等の関連付けを行ったリストを取得する。
【０１２７】
次に、ステップＦ２において、この五十音リストの各々に対して、該当する頭文字を有する候補者の有無を、候補者テーブル４０１ａより検索を行なう。そして、ステップＦ３の条件分岐において、該当候補者があれば（ステップＦ３における「ＹＥＳ」）、該当する仮名文字ボタンを表示する設定を行なう。例えば、五十音リスト「さ」に対しては、図１６に図示する候補者テーブル４０１ａ１において、候補者ＩＤ＝００００３の「西郷隆盛」と候補者ＩＤ＝００００５の「坂本竜馬」を関連付ける。そして、この他に濁音の「ざ」で始まる候補者がいれば、合わせて関連付ける。
【０１２８】
一方、ステップＦ３の条件分岐において、該当候補者がいなければ（ステップＦ３における「ＮＯ」）、そのボタンは表示しない（図４８に表示例を図示）。
なお、ボタンを完全な非表示にするのではなくて、淡い濃度で表示された選択不可のボタンとすることも考えられるが、選挙人の視覚能力にばらつきがあることを考慮し、誤操作防止のために、非表示とすることが好ましい。この検索を、五十音リストのすべて仮名文字について、継続する（ステップＦ６における「ＮＯ」）。候補者の検索が終了すると（ステップＦ６における「ＹＥＳ」）、ステップＦ７の画面遷移処理により、頭文字選択画面がステップＦ８により表示される。頭文字選択画面とは、例えば、図４７及び図４８に図示するような画面である。頭文字選択画面が表示されると、ステップＦ９において、候補者選択ガイダンス音声を１回だけ再生させる。例えば、「投票したい候補者の頭文字に触れてください。投票を途中で終了する場合は、「投票しない」に触れてください。」というガイダンス音声を再生する。
【０１２９】
ステップＦ１０の条件分岐において、投票者が、画面に表示された頭文字ボタンに対して、タッチパネル入力、あるいはバリアフリー・オプションの入力機器（運動機能障害用プッシュスイッチ２０３７１、視覚障害者用専用キーボード２０３８１等）による入力操作を行って、入力が検出されると（ステップＦ１０における「ＹＥＳ」）、次のステップＦ１１に移る。また、投票操作方法が自動スキャン投票である選挙人（図６０に図示する選挙人特性ＩＤ＝０５の選挙人）の場合には、ボタンにカーソルが移動して来た間にスイッチを押下することによってステップＦ１１に移る。
【０１３０】
ステップＦ１１においては、入力されたボタンの色と文字色をカーソル点灯時のものに変更し、一定時間（０．２秒程度）点灯のまま待機する。そして、ステップＦ１２において、ガイダンス音声がまだ再生中であれば、再生を停止する。
次にステップＦ１３において、入力された頭文字ボタンに関連付けられた清音、濁音、半濁音等を読み仮名の頭文字として有する候補者を、候補者テーブル４０１ａの先頭から抽出し、頭文字該当候補者リストを作成する。例えば、頭文字選択画面（図４７又は図４８）において、「お」が入力されたことを検出すると、「お」に関連付けられた「大久保利通」、「大隈重信」、「沖田総司」、「大村益次郎」である候補者レコードが、頭文字該当候補者リストとして抽出されて作成される。ステップＦ１３における頭文字該当候補者リストの作成が完了すると、続きのステップ（図２９及び図３０に３として図示）に移行する。
【０１３１】
一方、ステップＦ１０の条件分岐において、頭文字ボタンに対する入力を検出せず（ステップＦ１０における「ＮＯ」）、ステップＦ１４において棄権ボタン（図４４又は図４５において「投票しない」ボタンとして図示）の入力を検出すると（ステップＦ１４における「ＹＥＳ」）、ステップＦ１５において、入力ボタンが一定時間点灯し、ステップＦ１６において、棄権されたことをＲＡＭ４５３に記憶する。そして、ステップＦ１７においてガイダンス音声を停止し、ステップＦ１８において画面遷移処理を行って続きのステップ（図２９及び図３１に４として図示）に移行する。
【０１３２】
図３０は、本実施例に適用される投票プログラム４０４を構成する投票制御部４３５における頭文字選択画面投票制御部４３５Ｂの処理の流れの一例を示すフローチャート（２／５）である。これは、図２９におけるステップＦ１０において、頭文字入力を検出した場合のステップＦ１３の続きのステップである。ステップＦ１９において、候補者表示の順序をランダムに表示する設定があるか否かの確認を行なう。候補者のランダム表示は、上記したように、選挙人により投票カードが挿入されて投票操作が実行される毎に、表示順位を変更する設定であり、公平性の観点から設定することが可能なオプションである。
【０１３３】
画面内で、同一政党の候補者が２名以上いる場合であって、かつ表示順位が指定されている場合においては、政党内の順位は保ったまま、異なる政党のみの候補者順位を変更することが可能である。このようなランダム表示の設定がある場合には（ステップＦ１９における「ＹＥＳ」）、ステップＦ２０に移り、候補者データ４０１のレコード順序のランダム化処理が行われる。ランダム化処理は、種々の実施形態が可能であるが、例えば以下のようにする。すなわち、この選挙への投票者数（即ち、図４４に図示する投票件数）を候補者数で割った剰余を計算し、候補者テーブル４０１ａの先頭のレコードから、この数の候補者を先頭から末尾へ移動し、これをこの投票者のこの選挙への投票における候補者テーブル４０１ａとする。ステップＦ２０におけるかかる処理が終了すると次のステップＦ２１に移る。
【０１３４】
一方、このようなランダム表示の設定がない場合（ステップＦ１９における「ＮＯ」）、ステップＦ２０をスキップし、ステップＦ２１に移る。ステップＦ２１では、候補者データ４０１のデータベースを構成する投票画面レイアウトテーブル４０１ｅに格納された、頭文字該当候補者選択画面（図４８に図示）に表示可能な候補者ボタンの最大数の設定を参照する。ステップＦ２２の条件分岐において、投票画面レイアウトテーブル４０１ｅのボタンの最大数の設定が、入力を検出した頭文字を有する候補者リストの総数以上である場合（ステップＦ２２における「ＹＥＳ」）、次のステップＦ２３に移る。一方、ステップＦ２２の条件分岐において、ボタンの最大数の設定が、入力を検出した頭文字を有する候補者リストの総数以下である場合（ステップＦ２２における「ＮＯ」）、続きのステップ（図３０及び図３２に９として図示）に移る（後述）。
【０１３５】
まず、ステップＦ２３以降の流れについて説明する。ステップＦ２３では、候補者のボタンをソートする方向の設定をチェックする。このステップの後、ステップＦ２４において画面遷移処理を行い、ステップＦ２５において頭文字該当候補者選択画面を表示する。図４８には、頭文字の「お」が選択された場合における頭文字該当候補者選択画面が図示されている。頭文字該当候補者選択画面が表示されると、ステップＦ２６において、表示メッセージテーブル４０１ｆにリンクした共通音声データ（図２１に図示）の中から、候補者選択ガイダンス音声を１回だけ再生する。例えば、図４８に示す頭文字該当候補者選択画面に対しては「投票したい候補者の名前に触れてください。頭文字を選び直す場合は、「頭文字を選び直す」に触れてください。投票を途中で終了する場合は、「投票しない」に触れてください」というガイダンス音声を１回だけ再生する。ステップＦ２７の条件分岐において、投票者が、画面に表示された候補者ボタンに対して、タッチパネル入力、あるいはバリアフリー・オプションの入力機器（運動機能障害用プッシュスイッチ２０３７１、視覚障害者用専用キーボード２０３８１等）による入力操作を行って、入力が検出されると（ステップＦ２７における「ＹＥＳ」）、次のステップに移る。
【０１３６】
また、投票操作方法が自動スキャン投票である選挙人（図６０に図示する選挙人特性ＩＤ＝０５の選挙人）の場合には、ボタンにカーソルが移動して来た間にスイッチを押下することによって次のステップに移る。ステップＦ２８においては、入力されたボタンの色と文字色をカーソル点灯時のものに変更し、一定時間点灯のまま待機する。そして、触れられたボタンが選択、入力されたものとして、ステップＦ２９において、選択されたボタンに関連付けられた候補者を投票する候補者としてＲＡＭ４５３上に記憶する。そして、ステップＦ３０において、候補者選択ガイダンス音声が再生中であれば、再生を停止し、選択した候補者を確認する以降のステップに移る。ステップＦ３１においては、かかる画面に遷移するための遷移処理が行われる。
【０１３７】
図３１に図示するステップＦ３８において、候補者確認画面の表示（図５３に図示）が行われる。画面の表示が行なわれると、ステップＦ３９において、選択した候補者を表示する候補者確認ガイダンス音声を１回だけ再生する。例えば、「確認してください。よろしければ○に、変更する場合は×に触れてください」というガイダンス音声を再生する。そして、ステップＦ４０では、投票者は以下の操作を行なう。すなわち、投票者は、選択した候補者に投票するために、タッチパネル入力、あるいはバリアフリー・オプションの入力機器（運動機能障害用プッシュスイッチ２０３７１、視覚障害者用専用キーボード２０３８１等）による入力操作を行って「○  投票する」を選択すると（ステップＦ４０における「ＹＥＳ」）、ステップＦ４１において入力されたボタンの色と文字色をカーソル点灯時のものに変更し、一定時間点灯のまま待機する。そして、ステップＦ４２において、候補者選択ガイダンス音声が再生中であれば、再生を停止し、このルーチンを抜ける（「ＲＥＴＵＲＮ」と図示）。
【０１３８】
一方、投票者は、選択した候補者に投票するために、タッチパネル入力、あるいはバリアフリー・オプションの入力機器（運動機能障害用プッシュスイッチ２０３７１、視覚障害者用専用キーボード２０３８１等）による入力操作を行って「×  変更する」を選択すると（ステップＦ４０における「ＮＯ」、かつステップＦ４３における「ＹＥＳ」）、ステップＦ４４において入力されたボタンが点灯して一定時間待機した後に、ガイダンス音声がステップＦ４５において停止して、図３０におけるステップＦ２５に戻り（図３０及び図３１に８として図示）、頭文字該当候補者選択画面を表示する。候補者確認画面の表示は、投票者がいずれかのボタンを選択するまで、継続して表示される（ステップＦ４３における「ＮＯ」）。
【０１３９】
一方、図３０におけるステップＦ２７の条件分岐において、候補者ボタンの入力を検出せず（ステップＦ２７における「ＮＯ」）、かつステップＦ３２の条件分岐において、頭文字選択やり直しボタン（図４８に「頭文字を選び直す」ボタンとして図示）の入力を検出した場合（ステップＦ３２における「ＹＥＳ」）、図２９に図示するステップＦ８に戻り（図２９及び図３１に７として図示）、頭文字選択画面（図４７または図４８に図示）を再度表示する。
【０１４０】
一方、ステップＦ３２の条件分岐において、頭文字選択やり直しボタン（図４９に「頭文字を選び直す」ボタンとして図示）の入力を検出せず（ステップＦ３２における「ＮＯ」）、かつステップＦ３３において棄権ボタン（図４９に「投票しない」ボタンとして図示）の入力を検出した場合（ステップＦ３３における「ＹＥＳ」）、ステップＦ３４において、入力ボタンが一定時間点灯し、ステップＦ３５において、棄権されたことをＲＡＭ４５３に記憶する。そして、ステップＦ３６においてガイダンス音声を停止し、ステップＦ３７において画面遷移処理を行なう。続きのステップは図３１における４の端点から行なう（図３０及び図３１に４として図示）。即ち、ステップＦ４６において棄権確認画面（図５４に図示）を表示し、ガイダンス音声を再生する（ステップＦ４７）。例えば、「確認してください。よろしければ「○」に、変更する場合は「×」に触れてください」というガイダンス音声を再生する。
【０１４１】
次に、ステップＦ４８の条件分岐において、「○  投票しない」が入力されたことを検出すると（ステップＦ４８における「ＹＥＳ」）、ステップＦ４９において入力されたボタンを一定時間点灯させて待機し、ステップＦ５０においてガイダンス音声の再生を停止し、このルーチンを抜ける（「ＲＥＴＵＲＮ」と図示）。一方、ステップＦ４８の条件分岐において、「○  投票しない」ボタンが入力されずに（ステップＦ４８における「ＮＯ」）、「×  変更する」ボタンの入力が検出されると（ステップＦ５１における「ＹＥＳ」）、ステップＦ５２において入力されたボタンを一定時間点灯させて待機し、ステップＦ５３においてガイダンス音声を停止した後に、端点７を経由して図２９のＦ８のステップに戻り、頭文字選択画面（図４７又は図４８に図示）を表示する。
なお、棄権確認画面の表示は、「○  投票しない」、「×  変更する」のいずれかのボタンの入力が検出されるまで継続して表示される（ステップＦ５１における「ＮＯ」）。
【０１４２】
一方、図３０に図示するステップＦ２２の条件分岐において、投票画面レイアウトテーブル４０１ｅにおける候補者ボタンの最大数の設定が、入力を検出した頭文字を有する頭文字該当候補者リストの総数以下である場合（ステップＦ２２における「ＮＯ」）、図３２〜図３３に図示する一連のステップが実行される（図３０及び図３２に９として図示）。
【０１４３】
図３２は、本実施例に適用される投票プログラム４０４を構成する投票制御部４３５における頭文字選択画面投票制御部４３５Ｂの処理の流れの一例を示すフローチャート（４／５）である。以下のステップは、同一の頭文字（清音、濁音、半濁音等を含む）を有する立候補者が多数おり、一画面に表示可能な候補者ボタンの最大数（例えば、本実施形態における１５インチのＬＣＤディスプレイの場合は２８名程度）を超えている場合に、複数の頁に分割して表示する投票画面である。ステップＦ５４において、入力を検出した頭文字に対応する頭文字該当候補者リストの人数と、一画面に表示可能な候補者ボタンの最大数からページ数を算出して記憶する。
【０１４４】
すなわち、入力を検出した頭文字に対応する頭文字該当候補者リストの人数を、候補者データ４０１における投票画面レイアウトテーブル４０１ｅにより予め設定された候補者ボタンの数で割り、剰余を繰り上げた数値を算出する。そして、この数値をページ数としてＲＡＭ４５３に記憶する。次にステップＦ５５の条件分岐において、入力した頭文字に該当する候補者選択画面が複数頁存在することを投票者に報知ための案内画面を表示する設定の有無を確認する。かかる案内画面の表示設定がある場合（ステップＦ５５における「ＹＥＳ」）、ステップＦ５６において画面遷移処理を行い、複数頁存在を報知する案内画面を表示する（ステップＦ５７）。
【０１４５】
かかる画面の一例を、図５１に図示する。同図においては、入力された頭文字に該当する候補者が全部で３頁に分割されて表示することを、候補者ボタンの表示に先立って、投票者に対して案内する画面である。この画面が表示された際には、ステップＦ５８において、ガイダンス音声の再生が行われる。例えば、「候補者名の画面は全部で３頁あります。画面の上にある「次頁ボタン」を押して候補者を探してください」などというガイダンス音声を再生する。、ステップＦ５９の条件分岐において、「次ページ」ボタンの入力を検出した場合、（ステップＦ５９における「ＹＥＳ」）、次のステップＦ６０に移行し、入力されたボタンが点灯した後に、ステップＦ６１において、ガイダンス音声を停止する。
【０１４６】
一方、「次ページ」ボタンの入力がなされるまでは、複数頁案内画面が継続して表示され、ガイダンス音声も繰り返し再生される。一方、ステップＦ５５の条件分岐に案内画面の表示を実行する設定がない場合（ステップＦ５５におけるＮＯ」）、上記したＦ５６〜Ｆ６１のステップをスキップし、ステップＦ６２に移行する。さて、ステップＦ６２において、ページ番号を格納する変数ｎに数値１を代入して、ページ数を１頁に設定する。次に、ステップＦ６３において、候補者の表示のソート順の確認を行った後に、画面に表示する候補者を規定する次のステップに移行する。すなわち、ステップＦ６４において、入力された頭文字に該当する候補者リストから、現在のページ番号をｎとして、（（ｎ−１）×（候補者ボタンの数）＋１）番目の候補者から、（ｎ×（候補者ボタンの数））番目の候補者を抽出する。ただし、現在のページ番号ｎが、最終頁である場合、候補者リストの最後の候補者までを抽出する。
【０１４７】
次に、複数頁の画面の移動に使用する「前ページ」ボタン又は「次ページ」ボタンの表示に関する、以下の設定を行なう。すなわち、ステップＦ６５の条件分岐において、ページ番号ｎ＝１（最初の頁）であった場合には（ステップＦ６５における「ＹＥＳ」）、ステップＦ６６において「前ページ」ボタンを非表示とする設定を行なう。一方、ステップＦ６５の条件分岐において、ページ番号ｎ＝１でない場合（ステップＦ６５における「ＮＯ」）、次のステップＦ６７の条件分岐に移行し、ページ番号ｎ＝総ページ数であれば（ステップＦ６７における「ＹＥＳ」）、「次ページ」ボタンを非表示とする設定を行なう。ページ番号ｎが先頭頁及び最終頁のいずれでもない場合（ステップＦ６７における「ＮＯ」）、画面遷移を行なうステップＦ６９に移行する。続きのステップは、端点１０で接続される図３３に図示するステップで行われる。
【０１４８】
図３３は、本実施例に適用される投票プログラム４０４を構成する投票制御部４３５における頭文字選択画面投票制御部４３５Ｂの処理の流れの一例を示すフローチャート（５／５）である。以下では、入力された頭文字に該当する候補者が複数頁にわたる場合の投票制御処理のステップの続きを説明する。まず、ステップＦ７０において、頭文字該当候補者の複数頁選択画面が表示される（図５１に図示）。画面表示が実行されると、ステップＦ７１において、表示メッセージテーブル４０１ｆにリンクした共通音声データ（図２１に図示）の中から、候補者選択ガイダンス音声を１回だけ再生する。
【０１４９】
例えば、図５１に示す頭文字該当候補者複数頁選択画面に対しては「投票したい候補者の名前に触れてください。投票したい候補者がいない場合は「前ページ」ボタンまたは「次ページ」ボタンに触れて、候補者を探してください。頭文字を選び直す場合は、「頭文字を選び直す」に触れてください。投票を途中で終了する場合は、「投票しない」に触れてください」などというガイダンス音声を１回だけ再生する。ステップＦ７２の条件分岐において、投票者が、画面に表示された候補者ボタンに対して、タッチパネル入力、あるいはバリアフリー・オプションの入力機器（運動機能障害用プッシュスイッチ２０３７１、視覚障害者用専用キーボード２０３８１等）による入力操作を行って、候補者ボタンの入力が検出されると（ステップＦ７２における「ＹＥＳ」）、次のステップに移る。
【０１５０】
また、投票操作方法が自動スキャン投票である選挙人（図６０に図示する選挙人特性ＩＤ＝０５の選挙人）の場合には、候補者ボタンにカーソルが移動して来た間にスイッチを押下することによって次のステップに移る。ステップＦ７３においては、入力された候補者ボタンの色と候補者名の文字色をカーソル点灯時のものに変更し、一定時間点灯のまま待機する。そして、触れられたボタンが選択、入力されたものとして、ステップＦ７４において、選択されたボタンに関連付けられた候補者を投票する候補者としてＲＡＭ４５３上に記憶する。そして、ステップＦ７５において、候補者選択ガイダンス音声が再生中であれば、再生を停止し、選択した候補者を確認する以降のステップに移る。
【０１５１】
ステップＦ７６においては、かかる画面に遷移するための遷移処理が行われる。端点５で接続される図３１に図示するステップＦ３８において、候補者確認画面の表示（図５３に図示）が行われる。画面の表示が行なわれると、ステップＦ３９において、選択した候補者を表示する候補者確認ガイダンス音声を１回だけ再生する。例えば、「確認してください。よろしければ○に、変更する場合は×に触れてください」というガイダンス音声を再生する。そして、ステップＦ４０では、投票者は以下の操作を行なう。すなわち、投票者は、選択した候補者に投票するために、タッチパネル入力、あるいはバリアフリー・オプションの入力機器（運動機能障害用プッシュスイッチ２０３７１、視覚障害者用専用キーボード２０３８１等）による入力操作を行って「○  投票する」を選択すると（ステップＦ４０における「ＹＥＳ」）、ステップＦ４１において入力されたボタンの色と文字色をカーソル点灯時のものに変更し、一定時間点灯のまま待機する。そして、ステップＦ４２において、候補者選択ガイダンス音声が再生中であれば、再生を停止し、このルーチンを抜ける（「ＲＥＴＵＲＮ」と図示）。
【０１５２】
一方、投票者は、選択した候補者に投票するために、タッチパネル入力、あるいはバリアフリー・オプションの入力機器（運動機能障害用プッシュスイッチ２０３７１、視覚障害者用専用キーボード２０３８１等）による入力操作を行って「×  変更する」を選択すると（ステップＦ４０における「ＮＯ」、かつステップＦ４３における「ＹＥＳ」）、ステップＦ４４において入力されたボタンが点灯して一定時間待機した後に、ガイダンス音声がステップＦ４５において停止して、図３０におけるステップＦ２５に戻り（図３０及び図３１に８として図示）、頭文字該当候補者選択画面を表示する。候補者確認画面の表示は、投票者がいずれかのボタンを選択するまで、継続して表示される（ステップＦ４３における「ＮＯ」）。
【０１５３】
一方、図３０におけるステップＦ２７の条件分岐において、候補者ボタンの入力を検出せず（ステップＦ２７における「ＮＯ」）、かつステップＦ３２の条件分岐において、頭文字選択やり直しボタン（図４９に「頭文字を選び直す」ボタンとして図示）の入力を検出した場合（ステップＦ３２における「ＹＥＳ」）、図２９に図示するステップＦ８に戻り（図３０及び図３１に７として図示）、頭文字選択画面（図４９または図５０に図示）を再度表示する。
【０１５４】
一方、ステップＦ７２の条件分岐において、画面に表示された候補者ボタンに対する入力が検出されずに（ステップＦ７２における「ＮＯ」）、「前ページ」ボタンの入力が検出された場合（ステップＦ７７における「ＹＥＳ」）、ステップＦ７８において、「前ページ」ボタンを点灯させた後に、ステップＦ７９において、ページ数の変数ｎにｎ−１を代入する。かかるページ数をデクリメントが完了すると、端点１１で接続される図３２のステップＦ６４に戻り、候補者の抽出処理を行なう。すなわち、ステップＦ６４において、入力された頭文字に該当する候補者リストから、現在のページ番号をｎとして、（（ｎ−１）×（候補者ボタンの数）＋１）番目の候補者から、（ｎ×（候補者ボタンの数））番目の候補者を抽出する。ただし、現在のページ番号ｎが、最終頁である場合、候補者リストの最後の候補者までを抽出する。
【０１５５】
一方、ステップＦ７７の条件分岐において、「前ページ」ボタンの入力が検出されずに（ステップＦ７７における「ＮＯ」）、「次ページ」ボタンの入力が検出された場合（ステップＦ８０における「ＹＥＳ」）、ステップＦ８１において、「次ページ」ボタンを点灯させた後に、ステップＦ８１において、ページ数の変数ｎにｎ＋１を代入する。かかるページ数をインクリメントが完了すると、端点１１で接続される図３２のステップＦ６４に戻り、上記した候補者の抽出処理を行なう。
【０１５６】
一方、ステップＦ８０の条件分岐において、「次ページ」ボタンの入力が検出されずに（ステップＦ８０における「ＮＯ」）、「頭文字を選び直す」ボタンの入力が検出された場合（ステップＦ８３における「ＹＥＳ」）、端点７で接続される図２９のステップＦ８に移り、頭文字選択画面を表示する。
【０１５７】
一方、ステップＦ８３の条件分岐において、「頭文字を選び直す」ボタンの入力が検出されずに（ステップＦ８３における「ＮＯ」）、「投票しない」ボタンの入力が検出された場合（ステップＦ８４における「ＹＥＳ」）、ステップＦ８５において、入力ボタンが一定時間点灯し、ステップＦ８６において、棄権されたことをＲＡＭ４５３に記憶する。そして、ステップＦ８７においてガイダンス音声を停止し、ステップＦ８８において画面遷移処理を行なう。続きのステップは図３１における４の端点から行なう（図２９及び図３０に４として図示）。なお、ステップＦ７０における頭文字該当候補者複数頁選択画面（図５１に図示）の表示は、いずれかのボタンの入力が検出されるまで継続して表示される（ステップＦ８４における「ＮＯ」）。
【０１５８】
図３４は、本実施例に適用される投票プログラム４０４を構成する投票データ記録部４３４の処理の流れの一例を示すフローチャートである。投票プログラム４０４は、投票データ４０７を主たるサーバに通知する。通知にあたっては、主たるサーバで通知を受理し、正しく記録されたことを確認するよう設計することが好ましい。投票プログラム４０４の投票画面作成部４３３によりＬＣＤ２０３１１上に表示される画面（図４２〜図５８に一実施例を図示）を投票者が操作して、投票したい候補者を確定するボタン（図５３に図示する「○投票する」ボタン）を押下され、投票の内容がＲＡＭ４５３に内部記憶されたときは、投票データ記録部４３４のサブルーチンがコールされ、以下のステップを有する投票データ記録処理が開始される。
【０１５９】
すなわち、ステップＤ１において、ＲＡＭ４５３に内部記憶された投票の内容が、ネットワークを介して主たるサーバに通知され、ステップＤ２において、主たるサーバより供給される記録完了の通知の受信を確認する。主たるサーバより供給される記録完了の通知の受信が完了していない場合は、ステップＤ３であらかじめ定めた受信待ち時間を経過していないか確認を行い、待ち時間を経過していない場合は、再びステップＤ２の受信確認を、待ち時間を経過している場合は、ステップＤ４のエラー表示画面に遷移し、投票者に対しては、図５７に図示するようなエラーの発生画面を報知するとともに、投票所の係員（投票管理者あるいは投票立会人）が画面を確認して、投票カードを再発行し、再投票をするようにする。
【０１６０】
ステップＤ２の条件分岐において、主たるサーバよりの記録完了の通知の受信を確認した場合には（ステップＤ２における「ＹＥＳ」）、主たるサーバの原本用メディアに正常に投票データ４０７が確実に記録されたことになり、法的な意味での投票が確定される。投票が確定されると、投票が確定したことを投票者に報知するために、投票確定ＬＥＤ２０３４を配置した基板に対してＧＰＩＯ経由で出力し、投票確定ＬＥＤ２０３４を点灯させる。点灯状態は、投票カード４０６が排出され、投票者の手で抜き取られるまで保持される。投票カードが排出されるまでの間に、システムダウンが発生した場合においても、高い確率で点灯状態が保存される。また、ステップＤ２の条件分岐において、投票ログの照合が正常に行われなかった場合には（ステップＤ２における「ＮＯ」）、投票データの書込み障害が発生したことを示すエラー画面（図５７に図示）をＬＣＤ２０３１１に出力するとともに、操作表示灯２０３０１ｂに点滅信号を出力する。以後は、上記したものと同様な運用形態がとられ、再投票を行なわせる。
【０１６１】
図３５は、本実施例に適用される運用カードを発行するカード発行機のハードェア構成の一例を示す図である。カード発行機２０１のハードウェア構成は、一般的な処理速度を有するパーソナルコンピュータ（ＰＣ：Ｐｅｒｓｏｎａｌ  Ｃｏｍｐｕｔｅｒ）で実現することが可能である。運用カード４０５及び投票カード４０６を発行する発行機カードリーダライタ２０１２は、本実施例ではＩＣカードリーダライタであり、ＰＣ本体にＵＳＢインターフェース（ＵＳＢ：Ｕｎｉｖｅｒｓａｌ  Ｓｅｒｉａｌ  Ｂｕｓ）等により接続することができる。
【０１６２】
また、選管から配布されるカード認証キー４０３と投票所における実施選挙の種類４０２を格納する発行機用メディア２０２は、ＦＤを用いることができる。
また、乱数発生器２０１２０は、乱数をソフトウェア的に発生させる場合には、特に接続する必要がない。後述する物理乱数を発生する場合にのみ使用する。ＨＤＤ（ＨＤＤ：Ｈａｒｄ  Ｄｉｓｋ  Ｄｒｉｖｅ）は、ＯＳや後述する発行プログラム５０４、選挙人名簿等のデータを格納する。発行機ディスプレイ２０１１は、ブラウン管（ＣＲＴ：Ｃａｔｈｏｄｅ  Ｒａｙ  Ｔｕｂｅ）又は液晶（ＬＣＤ）のいずれの型を用いてもよい。また入力デバイスは、キーボードとマウスを用いることができる。
【０１６３】
図３６は、本実施例に適用される運用カード４０５を発行するカード発行機のソフトウェア構成の一例を示す図である。発行プログラム５０４は、発行機メディア読取部５３１、カード読取部５３２、投票所ＩＤ生成部５３３、発行データ記録部５３４、発行制御部５３５を有する。
カード読取部５３２は、カード発行機２０１に挿入されるカードの読み取りを制御する。
投票所ＩＤ生成部５３３は、投票所に固有の識別番号である投票所ＩＤの生成を行なう。
【０１６４】
発行データ記録部５３４は、投票カード４０６又は運用カード４０５に対し、データの記録を行なう。特に、選管から配布されるＩＣカードにカード認証キー４０３を記録しない状態で配布する運営形態の場合には、本発行データ記録部５３４が、カード認証キーをＩＣカードに記録する機能を有する。
発行制御部５３５は、発行機ディスプレイ２０１１に表示される画面の制御を行なう。
【０１６５】
図３７は、本実施例に適用される発行機メディアのデータ構造の一例を示す図である。
発行機メディア２０２は、カード認証キー４０３と実施選挙の種類４０２、及び発行プログラム５０４を格納する。
【０１６６】
図３８は、本実施例に適用される発行機メディアに格納される実施選挙の種類４０２を示す図である。選管から配布される実施選挙の種類４０２には、カード発行機２０１が設置される投票所で実施すべき選挙のＩＤが記録されている。選挙ＩＤ＝１および、選挙ＩＤ＝３の選挙を実施しなければならないことを示している。これらの選挙ＩＤは、投票カード４０６の発行時に参照され、図２４に図示する投票カードの投票フラグ２０２２ａ及び２０２２ｃにおいて投票可能のフラグが立てられることとなる。
【０１６７】
図３９は、本実施例に適用される発行プログラムを構成する投票所ＩＤ生成部５３３の一例を示すフローチャートである。ステップＳ２３０１において、乱数データの入力がリアルタイムに行われる。これは外部からの入力であってもよいし、カード発行機２０１内部の演算により生成を行ったものを入力してもよい。
入力された乱数はＲＡＭ２０１１８に取り込まれる（Ｓ２３０２）。投票管理者がキーボードにより適当なキー入力を行ったとき、ＲＡＭ２０１１８上の所定アドレス間のデータを切り出し、管理者ＩＤ（投票所ＩＤ）バッファに格納され（Ｓ２３０５）、運用カードへの書込みの準備ができた場合に当該バッファの値を出力して（Ｓ２３０６）投票所ＩＤ４０５５を確定する。
【０１６８】
図４０及び図４１は、本実施例に適用される運用カード４０５及び投票カード４０６を用いて、電子投票システムの運営方法の流れを示すフローチャートである。本実施例に適用される電子投票システムの運営方法は、電子投票による選挙の際に、選挙期日（投票日）に先立って、選挙のデータ（候補者データ４０１５等）を作成する選挙データ作成システム１００と、選挙期日に各投票所に設置され、前記選挙データ作成システムから移送されたデータを使用して、選挙人（投票者）による投票を受け付ける電子投票装置２０３と、電子投票装置２０３が情報を読取り可能なカード（投票カード４０６又は運用カード４０５）を発行するカード発行機２０１を備えた投票所システム２００とを備えた電子投票システムの運営方法に関するものである。そして、その運営方法は図４０及び図４１に図示するような以下のステップから構成される。
【０１６９】
すなわち、図４０に図示するように、まず投票日の投票開始時刻の前において、選挙データ作成システム１００が、カード（投票カード４０６又は運用カード４０５）の読み取りの認証に関するカード認証キー４０３を予め生成するステップＳ１８０１を有する。カード認証キー４０３の具体的実施態様としては、カードとしてＩＣカードを使用する場合には、ＩＣチップ内部に暗号化されて記録されたデータを読み取るための復号鍵やパスワード等が挙げられる。これらは、任意の数値あるいは文字列の組み合わせにより実現される。
【０１７０】
選挙データ生成システム１００により作成された全ての投票所において共通の認証キー４０３を、サーバ２５０，２５１、カード発行機２０１に対して入力するステップＳ１８０２を有する。例えば、ＦＤやメモリカード等の可搬性のある記録媒体等にカード認証キー４０３を記録して各投票所に移送し、サーバ内部のＲＡＭ及びカード発行機２０１の内部のＲＡＭ２０１１８上に認証キー４０３を記憶させる。このように、各投票所に配布するカード認証キー４０３を共通化し、さらに投票プログラム４０４及び候補者データ４０１も共通化して、同一コンテンツの複写用メディア４０９を配布するように構成することにより、各投票所へのメディア配送時の人的ミスの発生を極めて低く抑えることが可能となる。
【０１７１】
各投票所に設置されたカード発行機２０１が、投票日の投票開始時刻の前において、投票所に固有の管理識別コード４０５５（投票所ＩＤ、管理ＩＤ、投票所ＩＤともいう）を生成するステップＳ１８０３を有する。投票所ＩＤ４０５５は、乱数等を用いて生成された任意の数値列又は文字列、あるいはこれらの任意の組み合わせにより実施可能である。管理識別コード４０５５は、原則として投票所毎に異なるコードとなるため、投票所ＩＤともいう。
【０１７２】
カード発行機２０１を用いて、各投票所における投票管理者（カード認証キー４０３を発行した選挙管理委員会の職員とは異なる）が管理所有するＩＣカードである運用カード４０５に、カード認証キー４０３と投票所ＩＤ４０５５とを記録するステップＳ１８０４を有する。なお、本発明は、他の実施形態として、上記のように各投票所でカード認証キー４０３をメディアに記録するのではなくて、選挙データ作成システム１００が認証キー４０３を生成した際に運用カード４０５用のブランクメディアに記録し、各投票所の投票管理者に対してこれを配布することも可能である。この場合には、投票所において、カード認証キー４０３が予め記録された運用カード４０５に対して、投票所ＩＤ４０５５のみを記録する。
【０１７３】
カード認証キー４０３と投票所ＩＤ４０５５とが記録された運用カード４０５を、投票所の投票管理者がカード発行機２０１から取り出し、同一投票所内のサーバに移送するステップＳ１８０５を有する。
サーバが有する投票カード記録読取手段に運用カード４０５を挿入し（ステップＳ１８０５ａ）、運用カード４０５に記録されたカード認証キー４０３と、サーバのＲＡＭ上に記録されたカード認証キーとを照合するステップＳ１８０６を有する。例えば、サーバが、運用カードのＩＣチップに対して認証キー４０３を送信し、ＩＣチップの読取りのパスワードを解除可能な否かを判定する。あるいは、ＩＣチップ内のデータが平文でなく暗号文の場合には、復号化できるか否かを判定する。
【０１７４】
ステップＳ１８０７の条件分岐において、照合が正常に行われた場合にのみ（ステップＳ１８０７の「ＹＥＳ」）、カードに記録されたカード種別（投票カードか運用カードかのＩＤ）を読み取る（ステップＳ１８０８）。カード種別が運用カードであった場合には（ステップＳ１８０８ａの「ＹＥＳ」）、次のステップに移る。
サーバが、運用カード４０５に記録された管理識別コード４０５５を読み取るステップＳ１８０９を有する。もし、正常に読み取られた場合には（ステップＳ１８１０の「ＹＥＳ」）、サーバのＲＡＭ上に記憶、蓄積し（ステップＳ１８１１）、認証キー、管理識別コードを電子投票装置に通知する（ステップＳ１８１２）、電子投票装置は、認証キー、管理識別コードをを受信することで投票可能な状態になる。
【０１７５】
このようにして、カード発行機２０１が投票日当日に生成した管理識別コード４０５５が、カード発行機２０１と同一の投票所内に設置された各々の電子投票装置にサーバを経由して伝播される。これらの一連のステップにより、投票所内のカード発行機２０１及び（通常は複数の）電子投票装置２０３とが同一の管理識別コード４０５５（投票所ＩＤ）で管理されることになり、この管理識別コードを有する投票カード４０６のみを受け入れ可能となる。
【０１７６】
上記した一連のステップは、電子投票装置２０３を投票開始可能な状態にするためのステップであるから、投票日当日の投票開始時刻の前に行なうのがよい。
このステップを行なう前の、投票日前日の電子投票装置設置後から投票日当日にかけては、いかなる人間も投票を開始することができない。このように運用カードを用いた電子投票システムの運営方法は、簡便な方法で、特別な警備のコストを削減できるばかりでなく、選挙運営の透明性を確保できるという効果がある。
【０１７７】
また、上記したステップのうち、カード認証キー４０３の照合に失敗した場合（ステップＳ１８０７の「ＮＯ」）、あるいはカード種別が運用カード４０５でない場合（ステップ１８０８ａの「ＮＯ」、若しくは管理識別コード（投票所ＩＤ）を正常に読み取ることができなかった場合（ステップＳ１８１０の「ＮＯ」）には、ステップＳ１８１３のカード排出処理により、運用カード４０５が排出され、サーバがカード挿入待ち画面（図４２に図示）を表示する。
【０１７８】
次に、図４１を参照しながら、投票開始時刻の後のステップを説明する。はじめに、管理識別ＩＤ４０５５を記憶した電子投票装置２０３には、図４２に図示するようなカード挿入待ち画面が表示されている（ステップＳ１９０１）。
図４１において、投票所の受付で投票所の係員が選挙人名簿との対照を行なうことにより本人確認を行った選挙人（投票者）に対し、前記カード発行機２０１により、全投票所共通の認証キー４０３及び投票所固有の管理識別コード４０５５を記録した投票カード４０６を発行するステップＳ１９０２を有する。投票カード４０６は、電子投票装置２０３に挿入したときに、電子投票装置２０３を投票可能な状態にさせるアクチベータであり、投票カードには、管理識別コード（投票所ＩＤ）４０５５以外に図２４に図示する選挙人特性ＩＤ２０２１（選挙人の身体障害の種類によって選択可能な入出力手段のコード）、実施される選挙の選挙ＩＤに対する投票可能か未発行かを識別する投票フラグ２０２２等が記録されている。
【０１７９】
選挙人により発行機２０１から電子投票装置２０３まで人的に移送され、選挙人が電子投票装置２０３に投票カード４０６を挿入するステップＳ１９０３を有する。すなわち、選挙人は投票所で発行された投票カード４０６を投票管理者から受け取った後に投票所内に設置された電子投票装置２０３に向かい、投票カード記録読取手段２０２２に挿入する。投票カードは、カード搬送機構により機械的に電子投票装置２０３内部に取り込まれる。
【０１８０】
電子投票装置２０３により、ＲＡＭ４５３上に蓄積された認証キー２０３を使用して投票カード４０６を読取り、認証キーを照合するステップＳ１９０４を有する。これは、投票プログラム４０４のカード制御部４１５により、データの読取に先立って、読取可能か否かを判断を行なうステップである。照合された場合には（ステップＳ１９０５の「ＹＥＳ」）、次のステップに移行する。照合が正常に行なうことができなかった場合には（ステップＳ１９０５の「ＮＯ」）、投票カードを投票カード記録読取手段２０２２から排出し（ステップＳ１９１４）、投票カード入力待ち状態のステップＳ１９０１に戻る。
【０１８１】
カード認証キーの照合が正常になされた場合には、カード種別の読取りのステップを有する。すなわち、挿入されたカードが、投票カードか運用カードかを識別するコードを読み取る（ステップＳ１９０６）。これは、図２４には、カード種別として図示されている。カード種別が投票カードであった場合には（ステップＳ１９０７の「ＹＥＳ」）、次のステップに移る。もし、カード種別が運用カードであったり、正常に識別コードを読み取ることができなかったりした場合には（ステップＳ１９０７の「ＮＯ」）、カード排出処理（ステップＳ１９１４）を経て、ステップＳ１９０１に戻る。
【０１８２】
次に、投票カード４０６の管理識別コード４０５５を読み取るステップＳ１９０８を有する。仮に、正常に読み取られた場合には（ステップＳ１９０８ａの「ＹＥＳ」）、次のステップに移る。読取りに失敗した場合には、カード排出処理のステップＳ１９１４を経て、ステップ１９０１に戻る。
【０１８３】
次に投票カード４０６から読み取った前記管理識別コード４０５５と、電子投票装置２０３のＲＡＭ４５３上に予め記憶された管理識別コード４０５５とを照合するステップＳ１９０９を有する。これは、電子投票装置２０３に挿入された投票カード４０６が、当該電子投票装置が設置された投票所の発行機２０１により確かに発行されたカードであるかどうかの、正当性を照査するステップである。仮に当該投票所以外の発行機で発行されたカードが用いられた場合には、カード排出処理のステップＳ１９１４により、それらの投票カードは受け付けられないこととなる。また、投票カードの偽造を行なうことも、極めて困難である。投票カードに記録された管理ＩＤは、投票日当日に発行されるものであるから、投票日に先立って偽造カードを製造することは事実上不可能である。また、投票日においては、投票カードは、認証キーによって読取保護されており、しかも既に述べたように投票終了後にデータが初期化されるものであるから、管理ＩＤを盗み出すことは極めて困難である。こうして、投票カードの悪用による不正投票の危険性を事実上解消することができる。
【０１８４】
最後に、前記管理識別コード４０５５の照合が正常になされた場合にのみ（ステップＳ１９１０の「ＹＥＳ」）、投票カードに記録された選挙情報を読取り（ステップＳ１９１１）、読み取った選挙の候補者を選択可能な画面を表示して（ステップＳ１９１２）、電子投票装置２０３により選挙人が投票動作を開始するステップＳ１９１３を有する。選挙人は、電子投票装置２０３内部で動作する投票プログラム４０４により、タッチパネル式ＬＣＤ２０３１上に表示された候補者選択画面を選択操作し、投票を行なう。
【０１８５】
図４２は、本実施例に適用される電子投票装置２０３のＬＣＤ２０３１１に表示される投票カード入力待ち画面の一例を示す図である。「投票カードを入れてください」というガイダンスが文字及び音声により行われるとともに、電子投票装置２０３のカード記録読取手段２０３２の位置と投票カード４０６の挿入の向きが選挙人にわかりやすいようにアニメーション表示される。また画面右下に、この電子投票装置２０３で投票された票数が、投票件数として表示されている。
最初の投票者は、この表示が０件であることを確認し（零票確認）、投票を開始する。なお、この投票カード入力待ち画面は、投票プログラム４０４における投票画面作成部４３３により、候補者データ４０１における固定画面レイアウトテーブル４０１ｄ及び表示メッセージテーブル４０１ｆが参照されて作成され、ＬＣＤ２０３１１上に表示される。
【０１８６】
図４３は、本実施例に適用される電子投票装置２０３のＬＣＤ２０３１１に表示される投票カード抜取待ち画面の一例を示す図である。投票が終了し、カード記録読取手段２０３２より投票カード４０６が自動排出されると、当該投票を行った選挙人に対して「投票が終了しました。投票カードを抜き取り、投票カードを係員にお返しください。」というガイダンスが文字及び音声により行われる。なお、この投票カード抜取待ち画面は、投票プログラム４０４における投票画面作成部４３３により、候補者データ４０１における固定画面レイアウトテーブル４０１ｄ及び表示メッセージテーブル４０１ｆが参照されて作成され、ＬＣＤ２０３１１上に表示される。
【０１８７】
図４４は、本実施例に適用される電子投票装置２０３の候補者選択画面の一例を示す図である。かかる画面により、選挙の候補者の一覧が、タッチパネル２０３１３で入力可能な候補者ボタンとしてＬＣＤ２０３１１上に表示される。
【０１８８】
図４５は、本実施例に適用される電子投票装置２０３の候補者選択画面（ボタン押下時）の一例を示す図である。かかる画面により、投票者がタッチパネル２０３１３に触れることにより選択した候補者ボタンがＬＣＤ２０３１１上で反転表示され、入力が行われたことを投票者に報知する。
【０１８９】
図４６は、本実施例に適用される電子投票装置２０３の候補者選択画面（２８名表示）の一例を示す図である。かかる画面により、単一画面に２８個の候補者ボタンが表示される。このボタンサイズは、水平幅ａ＝６９ｍｍ、垂直幅ｂ＝１８ｍｍであり、ＬＣＤ２０３１１の水平方向に４個、垂直方向に７個のボタンを表示している。このボタンサイズは経験的に求められた大きさであるが、平均的な視力の選挙人がボタン上の文字を視覚認識可能であり、かつ一般的な指のサイズの選挙人が押下するのに、不自由ない大きさである。
【０１９０】
選挙名や、表示メッセージ等が表示されているが、これらを表示せずに、候補者ボタンのみを表示したとすると、１５インチディスプレイの場合には、最大４８個の候補者ボタンを表示することができる。一般のＮインチのディスプレイの場合には、アスペクト比を４：３と仮定すると、Ｉｎｔ（２０Ｎ／ａ）×Ｉｎｔ（１５Ｎ／ｂ）の個数の候補者ボタンを表示できる。但し、Ｉｎｔ（）は、（）内の数値を超えない最大の整数を表す。例えば、Ｎ＝２１インチのＬＣＤの場合には、１０２個（＝水平６個×垂直１７個）の候補者ボタンを表示できる。そして、このようにして計算された候補者ボタンの数を超えた場合には、図４７に示すような、頭文字選択画面に表示を切り替えるように構成する。なお、このボタンのサイズ及び計算式は、多少の数値の変動があったとしても、この発明の範囲を逸脱しないものである。
【０１９１】
図４７は、本実施例に適用される電子投票装置２０３の頭文字選択画面の一例を示す図である。かかる画面により、単一頁に表示できない候補者数の場合に、頭文字選択による公平な選択画面を提供できる。
【０１９２】
図４８は、本実施例に適用される電子投票装置２０３の頭文字選択画面（該当候補者のみの表示）の一例を示す図である。かかる画面により、立候補した候補者の頭文字のみが、投票者に対して報知される。
【０１９３】
図４９は、本実施例に適用される電子投票装置２０３の頭文字該当候補者選択画面（「お」選択時）の一例を示す図である。かかる画面により、選択した頭文字に該当する候補者の一覧が、単一頁で表示される。
【０１９４】
図５０は、本実施例に適用される電子投票装置２０３の頭文字該当候補者複数頁選択画面の一例を示す図である。かかる画面により、選択した頭文字に該当する候補者の一覧が、複数頁にわたって表示される。
【０１９５】
図５１は、本実施例に適用される電子投票装置２０３の複数選択頁案内画面の一例を示す図である。かかる画面より、候補者画面が複数頁存在することを投票者に対して報知することにより注意を喚起する。
【０１９６】
図５２は、本実施例に適用される電子投票装置２０３の投票進捗画面の一例を示す図である。かかる画面により、タッチパネル２０３１３を使用する代わりに、バリアフリー入力機器（運動機能障害用プッシュスイッチ、視覚障害者用専用キーボード等）を使用して投票を行なう選挙人の操作補助者（介助者）に対し、投票操作の進捗状況が報知される。
【０１９７】
図５３は、本実施例に適用される電子投票装置２０３の候補者確認画面の一例を示す図である。かかる画面により、投票者が仮選択した候補者を拡大表示し、投票意思の確認を行なう。
【０１９８】
図５４は、本実施例に適用される電子投票装置２０３の棄権確認画面の一例を示す図である。かかる画面により、投票者の投票の棄権意思（再投票意思も含む）の確認を行なう。
【０１９９】
図５５は、本実施例に適用される電子投票装置２０３の選挙終了画面の一例を示す図である。かかる画面により、複数の選挙を行なう場合において、一つの選挙が終了したことを、投票者に対して報知する。
【０２００】
図５６は、本実施例に適用される電子投票装置２０３の選挙終了確認画面の一例を示す図である。かかる画面により、原本用メディア４０８に、投票データ４０７及び投票ログ４０７５が正しく記録されたことを、投票者に報知する。
【０２０１】
図５７，５８は、本実施例に適用される電子投票装置２０３で、投票結果の記録障害発生を報知する画面の一例を示す図である。図５７に示す画面により、サーバへの書き込みエラーが発生し、投票結果が、正しく記録されていないことを、投票所の係員（投票立会人や投票管理者）あるいは選挙人に報知する。この場合は、係員が画面表示を確認した上で、選挙人に対して、投票が終了していないことを伝える。そして、投票カードを再発行し、再度投票を行ってもらう。主たるサーバでは、書き込みが正しく行えなかったため、ネットワーク部分の動作を停止する。これにより、他のサーバが、新たに主たるサーバに昇格し、これを電子投票装置に通知する。以降の投票データの記録は、新たな主たるサーバによって行われることとなる。開票時においては、複数のサーバのメディアを使用する。エラー発生前までの投票データは、最初の主たるサーバのメディアに、エラー発生後の投票データは、新たな主たるサーバに記録されている。
【０２０２】
図５９は、本実施例に適用されるカード認証キー４０３の一例を示す図である。カード認証キー４０３とは、ＩＣカードのデータにアクセスするための鍵であり、数字又は文字の列として実現される。本実施例に適用される電子投票システムの運営方法では、カード認証キー４０３は選管で作成され、全投票所に対して、同一のカード認証キーが配布される。カード認証キー４０３の配布の形態は、選管で予め、ＩＣカード（投票カード４０６や運用カード）にカード認証キー４０３を入力した後に、投票所に配布する方法がある。あるいは、ＩＣカードとは別の記録媒体によりカード認証キー４０３を投票所に配布し、投票所において、ＩＣカードにカード認証キー４０３を導入するように構成してもよい。
【０２０３】
図６０は、本実施例に適用される投票モードを規定する選挙人特性ＩＤ２０２１により規定される入出力手段の一例を示す図である。第１列が選挙人特性ＩＤ２０２１を示す数値であり、第２列が、対応する選挙人特性の具体例である。選挙人特性とは、非障害、視覚障害、聴覚障害、肢体障害、内部障害、とこれらの任意の組み合わせである。そして、同一の選挙人特性に対して、障害等級の軽重に応じて、第４列及び第５列の欄に示すように、使用する報知手段２０３０５及び入力手段２０３０６が異なる。例えば、選挙人特性ＩＤ２０２１が「００」である非障害者（健常者）である選挙人に対しては、電子投票装置２０３のＬＣＤ２０３１に健常者用投票画面を表示し、入力手段２０３０６としてはタッチパネル、報知手段２０３０５としてＬＣＤを使用する。
【０２０４】
また、選挙人特性ＩＤ２０２１が「０１」である視覚障害者（６級）の選挙人（万国試視力表で測定した一眼の視力が０．０２以下、他眼の視力が０．６以下のもので、両眼の視力の和が０．２を超えるもの）に対しては、電子投票装置２０３のディスプレイユニット２０３１に弱視者用投票画面を表示し、入力手段２０３０６としてはタッチパネル２０３１３、報知手段２０３０５としてＬＣＤ２０３１１を使用する。
【０２０５】
一方、選挙人特性ＩＤ２０２１が「０２」である視覚障害者（１級）の選挙人（両眼の視力の和が０．０１以下のもの）に対しては、電子投票装置２０３のＬＣＤ２０３１１に投票進捗画面（候補者名などの投票内容は表示せずに投票の進捗状態のみを表示する画面。図５２に図示）を表示して介助者に対する投票の秘密の漏洩を防止し、入力手段２０３０６としては視覚障害者用専用キーボード２０３８１、報知手段２０３０５として音量調整付きヘッドホン２０３９１とスピーカ２０３３による音声ガイドを使用する。さらに、選挙人特性ＩＤ２０２１が「０３」である視聴覚障害者（盲ろう者）の選挙人（両眼の視力の和が０．０１以下であり、かつ両耳の聴力レベルがそれぞれ１００デシベル以上のもの）に対しては、電子投票装置２０３のＬＣＤ２０３１１に投票進捗画面（候補者名などの投票内容は表示せずに投票の進捗状態のみを表示する画面。図５２に図示）を表示して介助者に対する投票の秘密の漏洩を防止し、入力手段２０３０６としては視覚障害者用専用キーボード２０３８１、報知手段２０３０５としてカナ文字ピンディスプレイ（あるいは点字ディスプレイ）を使用する。
【０２０６】
また、選挙人特性ＩＤ２０２１が「０４」である肢体不自由者（上肢切断又は上肢機能障害）の選挙人に対しては、電子投票装置２０３のＬＣＤ２０３１に健常者と同一の投票画面を表示し、入力手段２０３０６としては肢体不自由者用キーボード（不図示）又は足で入力可能なフットスイッチ、報知手段２０３０５としてＬＣＤを使用する。一方、選挙人特性ＩＤ２０２１が「０５」である肢体不自由者（全身性運動又は機能障害）の選挙人に対しては、電子投票装置２０３のディスプレイユニット２０３１に投票進捗画面（候補者名などの投票内容は表示せずに投票の進捗状態のみを表示する画面。図５２に図示）を表示して介助者に対する投票の秘密の漏洩を防止するとともに、入力手段２０３０６として不随意運動があっても入力可能な運動機能障害用プッシュスイッチ２０３７１、報知手段２０３０５として頭に固定して使用する眼鏡型表示機であるヘッドマウントディスプレイをバリアフリー用ヘッドマウントディスプレイ端子２０３０２に接続して使用する。
【０２０７】
選挙人特性ＩＤ＝０５の選挙人が使用するヘッドマウントディスプレイに表示される画面は、選択可能項目（すなわち図４５における着色表示部分）が一定時間間隔で自動的に順次切り替わるスキャン入力画面を使用する。さらに、選挙人特性ＩＤ２０２１が「０６」である内部障害（難読）を伴う選挙人対しては、電子投票装置２０３のディスプレイユニット２０３１に健常者用投票画面を表示し、入力手段２０３０６としてはタッチパネル、報知手段２０３０５としてＬＣＤを使用するが、画面の進行や音声ガイドをスローで再生させる。このように、あらゆる障害に対して選挙人特性ＩＤを付与して入力手段２０３０６と報知手段２０３０５を規定することにより、すべての選挙人に対して投票モードを提供することが可能になり、電子投票装置２０３をバリアフリー化（ユニバーサルデザイン化）することができる。なお、実際の投票でどのような報知手段及び入力手段が適しているかは、全国の障害者や高齢者に対して実施した模擬投票実験によって経験的に明らかになったものである。
【０２０８】
以下、図６１〜図６４を参照しながら、選挙の立候補者による届け出から、選挙人による投票、投票管理者による開票までの流れの一例を説明する。
図６１は、本実施例に適用されるサーバの投票の準備の流れを示すフローチャートである。投票日当日に、投票管理者によりステップＳ２０１Ａによりサーバの電源のＯＦＦが確認された後、サーバの立ち上げが行われ、最初の選挙人による「ゼロ票」確認待が実行される。
【０２０９】
１）投票プログラム４０４、候補者データ４０１、カード認証キー４０３の投票所への送付
ステップＳ２０４ａにおいてあらかじめ作成された選挙データマスター４００を選挙管理委員会からの検査・承認終了後（ステップＳ２０４ｂ）、選挙データメディアコピー機１０２により電子投票装置２０３のための複写用メディア４０９であるメモリカードに複製され（ステップＳ２０４ｃ）、原本用メディア４０８と共に各投票所へ送付される。したがって、全ての投票所において、カード認証キー４０３などのデータは共通となる。通常、送付は投票日前日までに行われる。
【０２１０】
２）運用カードの作成
投票管理者は、投票カード発行機２０１を使い、固有の投票所ＩＤを付与した運用カード４０５を作成する。投票所ＩＤは、例えば乱数を用いて固有に生成された数値であり、原則として投票所ＩＤは投票所毎に異なることとなる。
【０２１１】
３）記録媒体装着
サーバの南京錠２０３０ａの鍵及び運用カード４０５（ＩＣカード）を保有する投票管理者がフロントドア２０３０を開錠し、原本用メディア４０８と複写用メディア４０９をサーバへ装着する（ステップＳ２０２Ａ、Ｓ２０３Ａ）。
【０２１２】
４）主たるサーバの決定
複数台あるサーバのうち、一方のサーバに運用カードを挿入する（ステップ２０６Ａ）ことで、主たるサーバが決定される。運用カードの挿入に先立ち、投票所内のすべてのサーバ、電子投票装置がネットワーク上で認識されていることを確認する（ステップＳ２０５Ａ）。すべての装置がネットワーク上で認識されていることを確認した後、運用カードを挿入する。運用カードを挿入されたサーバは、以降、主たるサーバとして動作する。主たるサーバは、他のサーバ、電子投票装置に主たるサーバのＩＤを通知する（ステップ２１１Ａ）。他のサーバは、この通知を受信以降、主たるサーバに障害が発生するまでは、主たるサーバとしての動作は行わない。電子投票装置は、この通知を受信以降、主たるサーバに障害が発生するまでは、主たるサーバ以外のサーバとの通信を行わない。
主たるサーバは、引き続き電子投票装置に認証キー、管理識別コードを通知する（ステップ２１２Ａ）。電子投票装置では、この通知を受信以降、投票プログラムのロードを実行する。
５）ゼロ票確認機能
投票所での最初の選挙人は、投票管理者と投票立会人の立ち会いのもと、ゼロ票確認機能により「ゼロ票」を確認する（ステップＳ２１３Ａ）。ゼロ票確認機能とは、例えば、カード挿入待ち画面において、電子投票装置の原本用メディア４０８に記録された票、すなわち投票データ４０７の数を投票件数として表示する機能である。
なお、「ゼロ」票確認は、運用カード４０５の認証完了時点で成立する（ステップＳ２１６Ａの「ＯＫ」）
続いて、各電子投票装置にゼロ票確認が完了したことを通知する（ステップ２２０Ａ）。これを受信した電子投票装置は、投票可能な状態、つまり、選挙人が投票カードを挿入することで、投票操作が可能な状態となる。
【０２１３】
図６２は、本実施例に適用される電子投票装置２０３の投票の準備の流れを示すフローチャートである。投票日当日に、投票管理者によりステップＳ２０１により電子投票装置の電源のＯＦＦが確認された後、電子投票装置の立ち上げが行われ、最初の選挙人による「ゼロ票」確認待ち状態の準備が行われる。
【０２１４】
１）サーバのＩＤ、認証キー、管理識別コードの通知
電子投票装置は、主たるサーバを決定する前に電源を投入し、ネットワーク上で認識可能な状態にしておく。主たるサーバが決定されると、サーバよりサーバのＩＤ、認証キー、管理識別コードが通知される（ステップＳ２０６）。
【０２１５】
２）投票プログラム、候補者データのロード
電子投票装置は、通知されたＩＤを持つサーバより、投票プログラム（ステップＳ２０７）、候補者データ（ステップＳ２１１）をロードする。
【０２１６】
次に図６３を用いて単一選挙（単記式）の投票実施例を説明する。実際の選挙では最高裁判所裁判官の国民審査のように候補者一覧から複数の候補者を選択する選挙もあるが、ここでは単一の候補者を選択する単記式選挙に限定して説明する。同図は、本実施例に適用される電子投票システムの運営方法による単一選挙（単記式）の投票の流れの一例を示すフローチャートである。
【０２１７】
１）「ゼロ票」確認
投票所での最初の選挙人は、投票管理者と投票立会人の立ち会いのもと、サーバのゼロ票確認機能により「ゼロ票」を確認する（ステップＳ２１３Ａ）。サーバでのゼロ票確認が完了すると、サーバは、各電子投票装置にゼロ票確認が完了したことを通知する（ステップ２２０Ａ）。これを受信した電子投票装置（Ｓ７０２）は、投票可能な状態、つまり、選挙人が投票カードを挿入することで、投票操作が可能な状態となる（Ｓ７０９）。
【０２１８】
２）電子投票装置の開始
サーバでの「ゼロ票」の確認終了後、サーバは、各電子投票装置にゼロ票確認が完了したことを通知する（ステップ２２０Ａ）。これを受信した電子投票装置（Ｓ７０２）は、投票カード入力待ち機能を起動する（ステップＳ７０９）。すなわち、投票所ＩＤ４０５５が電子投票装置のＲＡＭ４５３上に記憶され、投票カード４０６を受け入れ可能な状態となる。
【０２１９】
３）投票の開始
投票カード入力待ち機能（ステップＳ７０９）にて、選挙人はカード発行機２０１により発行された投票カード４０６を本電子投票装置２０３に挿入し（ステップＳ７１０）、カード認証キー４０３を用いて、投票カード４０６を読取り、投票カード４０６に記録された投票所ＩＤ４０５５と、電子投票装置のＲＡＭ４５３上の投票所ＩＤ４０５５とを比較・照合する。照合が正常に行われた場合にのみ投票カード４０６に記録された投票権利（すなわち投票フラグ２０２２）を読取り、投票権利情報（すなわち投票フラグ２０２２が「投票可能」）が確認できた場合のみ電子投票装置能を起動する（ステップＳ７１１の「ＯＫ」）。確認と同時に、投票カード４０６のデータ領域は初期化され、全てのデータが消去される（ステップＳ７１２）。投票カードの初期化を行なうのは、カードの再使用による不正投票の恐れを完全に断ち切るためである。なお、投票の開始は、投票カードが初期化された時点で成立する。
【０２２０】
４）候補者の選択
ＬＣＤ画面上に図４４のような画面を表示する候補者選択機能（ステップＳ７１３）にて、選挙人は指又はスタイラスペンにより、候補者名に触れることで、候補者を選択する（ステップＳ７１４）。
【０２２１】
５）候補者選択の確認
ＬＣＤ２０３１１の画面上に図５３のような画面を表示する候補者確認機能にて（ステップＳ７１５）、選挙人は確認ボタンに指又はスタイラスペンで触れることにより、確認を行なう（ステップＳ７１６）。
【０２２２】
６）サーバへの投票データ記録
上記５）での確認により、投票データ４０７は主たるサーバに通知される（ステップＳ７１７）。
【０２２３】
７）投票の確定と投票確定ＬＥＤの点灯
主たるサーバより投票記録完了を受信（ステップＳ７１７）した後、投票確定ＬＥＤ２０３４は点灯する（ステップＳ７１８）。なお、投票の確定は、投票記録完了を受信した時点で成立する（ステップＳ７１８）。
【０２２４】
８）投票の終了
投票カード４０６が排出される（ステップＳ７２１）と同時に、図５５のような画面を表示する投票カード抜取待ち機能（ステップＳ７２２）と音声ガイドにより、投票終了案内が行われ、選挙人は投票カード４０６を抜き取る（ステップＳ７２３）。なお、投票の終了は、投票カード４０６が排出された時点で成立する。
【０２２５】
１０）投票確定ＬＥＤの消灯
投票カードが抜き取られると、投票データの投票確定ＬＥＤ２０３４は消灯する（ステップＳ７２４）。
【０２２６】
１１）二重投票の防止
投票が終了し排出された投票カード４０６は初期化されているため、再度投票カードを挿入しても投票済みと判断され（ステップＳ７１１の「ＮＯ」）、二重投票が防止される。
【０２２７】
１２）２人目以降の投票
上記３）〜１０）が繰り返される。
【０２２８】
１３）投票カードの再発行
１．正常に発行された投票カードを挿入。
２．電子投票装置２０３による読取りエラーや初期化の書き込みエラーが発生。
３．不正操作をしていないことが明白。
４．投票カードを回収するとともに、当該投票カードの再利用禁止。
５．当該選挙人へ投票カードの再発行を行なう。
【０２２９】
図６４は、本実施例に適用される電子投票システムの運営方法によるサーバの終了の流れを示すフローチャートである。
以下、終了の流れを順を追って説明する。
１）投票所の閉鎖
南京錠２０３０ａの鍵及び運用カード４０５（ＩＣカード）を保有する投票管理者により、投票立会人の立ち会いのもと、投票所の閉鎖処理と投票の終了処理を行なう（ステップＳ８０１〜Ｓ８１３）。
２）投票データが記録されている原本用メディアと複写用メディアの取り外し投票管理者は、原本用メディア４０８と複写用メディア４０９を格納している複数のサーバのフロントドア２０３２を開け、サーバの電源スイッチ２０３２により電源を遮断する。その後、原本用メディア４０８と複写用メディア４０９を取り出す（ステップＳ８１４、Ｓ８１５）。
３）投票データの送致
原本用メディア４０８と複写用メディア４０９を送致用格納箱に収納し（ステップＳ８１６）、施錠の上開票所へ送致する。
【０２３０】
図６５は、本実施例に適用される電子投票システムの復旧可能エラー発生時の処理の流れの一例を示すフローチャートである。ここで、エラーとは、投票プログラム４０４が検出可能であって、製造時にあらかじめ想定されていたものをいう。「エラー」は、次の二つに分類される。
１．リトライすることで復旧可能な「復旧可能エラー」
２．復旧不可能な「復旧不可能エラー」
【０２３１】
「復旧可能エラー」とは、
バリアフリー機器の接続不良
投票カード関連の不良時
に発生する障害である。具体的には、
１．投票カードの裏表や上下方向の挿入ミス、投票済みカード挿入による読み取りエラー。カード自体の不良の場合は投票権利の確認手段がないため、別途運用上の取り決めが必要である。
２．バリアフリー機器（視覚障害者用専用キーボード２０３８１、ヘッドホン２０３９１及び運動機能障害用プッシュスイッチ２０３７１）の接続ミスや接続はずれ。
等が考えられる。復旧可能エラーが発生した場合は、基本的には、画面表示機能に従って行い、バリアフリー機器の再接続や投票カード４０６の再挿入を行なうことで復旧させる。これにより症状が改善しない場合は、運用上、復旧不可能エラーとしての処理を行なう。
【０２３２】
「復旧不可能エラー」は、
投票プログラムが以降の投票操作が行えない状態と判断した際に出力される。
投票管理者は、画面表示事項に応じた対処を行い、電子投票装置の使用を停止しなければならない。
【０２３３】
さて、ステップＳ１０１において、投票者（選挙人）が投票カード４０６を挿入する。次にステップＳ１０２の条件分岐において、投票カードに記録された投票者の投票権利の確認を行い、もし投票カードに記録された投票権利がない、すなわち既に初期化済又は未発行であったとすると（ステップＳ１０２の「投票済（初期化済）」）、ステップＳ１０５に移り、復旧可能なエラーの種類（即ち投票済であること）を電子投票装置２０３のＬＣＤ２０３１１に表示した後に、ステップＳ１０６において投票カード４０６を排出する。投票カード４０６が排出されると、ステップＳ１０７において投票者及び投票補助者が、ＬＣＤ２０３１１に表示されたエラー内容を確認する。この場合は、ＬＣＤ２０３１１には、投票カードが投票済であった旨が表示されている。
【０２３４】
エラー内容の確認の後、ステップＳ１０８において、投票者が排出された投票カードを抜き取ると、ステップＳ１０９において、ＬＣＤ２０３１１には投票カード挿入待ち状態（図４２に図示）になる。そして、ステップＳ１１０において、投票者及び／又は投票補助者によるエラーからの復旧処理が行われる。具体的には、投票者が実際には、投票カード４０６を使用して投票を終えていなかったことが投票者の自己申告及び投票立会人の証言により確認されると、投票カード発行機２０１により、投票カード４０６が再発行される。投票者は、ステップＳ１１１において、再発行された投票カード４０６を、再挿入し、投票のやり直しを行なうこととなる。
【０２３５】
ステップＳ１０２の条件分岐において、投票カード４０６の読み取りエラーが発生した場合には（ステップＳ１０２の「カード識別不可」）、ステップＳ１０５において、復旧可能なエラーの種類（即ちカード識別不可であること）を電子投票装置２０３のＬＣＤ２０３１１に表示した後に、ステップＳ１０６において投票カード４０６を排出する。投票カード４０６が排出されると、投票者及び投票補助者が、ＬＣＤ２０３１１に表示されたエラー内容を確認する。この場合は、ＬＣＤ２０３１１には、挿入されたカードが認識できなかった旨が表示されている。エラー内容の確認の後、ステップＳ１０８において、投票者が排出されたカードを抜き取ると、ステップＳ１０９において、ＬＣＤ２０３１１には投票カード挿入待ち状態（図４２に図示）になる。そして、ステップＳ１１０において、投票者及び／又は投票補助者によるエラーからの復旧処理が行われる。具体的には、投票カード発行機２０１により、投票カード４０６が再発行される。投票者は、ステップＳ１１１において、再発行された投票カード４０６を、再挿入し、投票のやり直しを行なうこととなる。
【０２３６】
ステップＳ１０２の条件分岐において、投票カード４０６の投票権利が確認された場合には（ステップＳ１０２の「投票可能」）、ステップＳ１０３において、選挙人特性２０２１を読取り、選挙人特性ＩＤ＝００か否か、すなわちバリアフリー入出力オプションを使用するかどうかを識別する。選挙人特性ＩＤ＝００でなかった場合（ステップＳ１０３において「ＹＥＳ」）、ステップＳ１０４において、選挙人特性ＩＤに対応する入出力機器（図６０に図示）が接続されているかどうか確認する。ステップＳ１０４の条件分岐において、読み取られた選挙人特性ＩＤに対応する入出力機器が接続されていなかったとすると（ステップＳ１０４の「ＮＯ」）、ステップＳ１０５において復旧可能エラーの種類（すなわち入出力機器が接続されていないこと）をＬＣＤ２０３１１上に表示し、ステップＳ１０６において投票カード４０６を排出する。
【０２３７】
投票カード４０６が排出されると、ステップＳ１０７において投票者及び投票補助者が、ＬＣＤ２０３１１に表示されたエラー内容を確認する。この場合は、ＬＣＤ２０３１１には、ヘッドホン２０３９１投票カードが投票済であった旨が表示されている。エラー内容の確認の後、ステップＳ１０８において、投票者が排出された投票カード４０６を抜き取ると、ステップＳ１０９において、ＬＣＤ２０３１１には投票カード挿入待ち状態（図４２に図示）になる。そして、ステップＳ１１０において、投票者及び／又は投票補助者によるエラーからの復旧処理が行われる。投票者は、ステップＳ１１１において、再発行された投票カード４０６を、再挿入し、投票のやり直しを行なうこととなる。
【０２３８】
ステップＳ１０４の条件分岐において、読み取られた選挙人特性ＩＤに対応する入出力機器が正常に接続されていたとすると（ステップＳ１０４の「ＹＥＳ」）、ステップＳ１１２において投票カード４０６の初期化処理が行われる。次のステップＳ１１３において、ＬＣＤ２０３１１上に候補者選択画面が表示され、投票者は投票操作を行なう。投票操作を行っている途中で、例えば、ヘッドホン２０３９１のプラグがヘッドホン端子２０３９からが抜けてしまったとする（ステップＳ１１４の「ＮＯ」）。その場合には、ステップＳ１１５の復旧可能エラー表示機能により、ヘッドホン端子２０３９に接続されていない旨の表示がＬＣＤ２０３１１上に表示される。そして、ステップＳ１１６において、投票者及び／又は投票補助者によるエラーからの復旧処理、すなわちヘッドホン端子の接続が行われる。正常に接続されると、候補者選択画面に復帰し、投票者は、ステップＳ１１７において、投票を継続することとなる。
【０２３９】
図６６は、本実施例に適用されるサーバ、電子投票装置２０３の動作履歴を記録した投票ログの一例を示す図である。投票ログ４０７５は、電子投票装置２０３の電子投票プログラム４０４、サーバの制御プログラムが行ったすべての動作履歴を時系列データとして記録したものである。時刻情報は、「時刻」のカラムに図示されるように、年、月、日、時、分、秒によって表現され、各々の時刻に対応する処理が、「機能分類」のカラムと「処理」のカラムとに格納されている。例えば、機能分類のカラムが「候補者選択」であるようなレコード（行）における処理（レイアウト設定：候補者ボタン等）は、投票プログラム４０４の投票画面作成部４３３が行った候補者選択画面（図４４に図示）の作成処理の詳細が逐次記録されている。投票中にエラーが発生した場合などには、この投票ログ４０７５を解析することにより、障害発生要因を把握することが可能となる。なお、これらのデータは、原本用メディア４０８及び複写用メディア４０９上のＣＳＶ形式（ＣＳＶ：Ｃｏｍｍａ  Ｓｅｐａｒａｔｅｄ  Ｖａｌｕｅ  （ｆｏｒｍａｔ）  ：項目間をカンマで区切ったファイルフォーマット）等の適切なフォーマットのテキストファイルとして保存される。
【０２４０】
図６７は、本実施例に適用される主たるサーバによる投票データの記録の流れの一例を示すシーケンス図である。
投票者が、電子投票装置で投票意思確認画（図５３に図示）の「○投票します」に触れたとすると、投票プログラム４０４の投票データ記録部４３４によって、選択された候補者のＲＡＭ４５３上の投票データ４０７が、主たるサーバに通知される。
【０２４１】
主たるサーバでは、受信した投票データをＲＡＭ上に記録した後、原本用メディア４０８に対して書き込む。続いて、原本用メディア４０８上に作成された投票データ４０７のファイルをオープンしてＲＡＭ上に再び読込んで、比較、照合（ベリファイ）が行われ、確実にされたことが確認される。そして、投票ログの書込みが原本用メディア４０８に対して行われる。図には示されていないが、投票ログの書込みにおいても、キャッシュを吐き出した後に、生成された投票ログファイルを読み込んで、ベリファイが行われる。
【０２４２】
次に、原本用メディア４０８への投票データ４０７及び投票ログ４０７５の書込みが終了すると、投票プログラム４０４により、投票が確定されたことを電子投票装置に通知する。
【０２４３】
次に、電子投票装置への電子投票装置録完了の通知が終了すると、制御プログラムにより、複写用メディア４０９に対して、投票データ４０７及び投票ログ４０７５の複製処理が行われる。すなわち、制御プログラムにより、複写用メディア４０９上のファイルがオープンされ、ＲＡＭ４５３に記憶された投票データ４０７が書き込んだ後にファイルをクローズする。そして、ＲＡＭ４５３上のキャッシュの吐き出しが完了した後に、再びファイルオープンして、ＲＡＭ上に読込み、ファイルクローズした後にＲＡＭ上のデータを比較してベリファイを行なう。そして、投票ログ４０７５の複製についても、同様に記録及びキャッシュ吐き出しが行われる。
【０２４４】
【発明の効果】
以上詳述したように本発明によれば、投票所を複数の電子投票装置と前記複数の電子投票装置と電気通信回線により接続された複数のサーバとで設営して、主たるサーバの記録媒体にその投票所で行われた投票結果を記録させるようにしたので、集計する記録媒体の数を減少することができ、迅速に開票が可能となり、かつ投票所の設営と撤去をスピーディに行なうことができる電子投票システムを提供することができる。
【０２４５】
また、本発明によれば、複数のサーバに、それぞれ原本用と複写用との記録媒体を用い、交互にアクセスする構成とすることにより、ネットワーク障害が発生した場合に、投票所全体に障害の影響がおよぶことがなく、障害発生前の投票結果も保持することができる電子投票システムを提供することができる。
【０２４６】
しかも、本発明によれば、今後法改正が行われ、投票所と開票所とを電気通信回線で接続した電子投票システム形態に対しても、容易に拡張することができる電子投票システムを提供することができる。
【図面の簡単な説明】
【図１】本実施例に適用される投票所における電子投票システムの構成を示す概略ブロック図である。
【図２】本実施例に適用されるサーバ内部のＲＡＭのデータ構造の一例を示す図である。
【図３】本実施例に適用されるサーバに格納される制御プログラムの構造の一例を示す図である。
【図４】本実施例に適用される電子投票システム全体の構成を示す概略ブロック図である。
【図５】本実施例に適用される電子投票装置の外装の一例を示す斜視図である。
【図６】本実施例に適用される電子投票装置の外装の別形態の一例を示す斜視図である。
【図７】本実施例に適用される電子投票装置の外装の一例を示す上面図である。
【図８】本実施例に適用される電子投票装置の外装の一例を示す正面図である。
【図９】本実施例に適用される電子投票装置の外装の一例を示す正面図（フロントドアオープン時）である。
【図１０】本実施例に適用される電子投票装置の外装の一例を示す背面図である。
【図１１】本実施例に適用される電子投票装置内部のハードウェア構成の一例を示す図である。
【図１２】本実施例に適用される電子投票装置内部のＲＡＭのデータ構造の一例を示す図である。
【図１３】本実施例に適用されるシステムディスクのデータ構造の一例を示す図である。
【図１４】本実施例に適用される電子投票プログラムの構造の一例を示す図である。
【図１５】本実施例に適用される候補者データの構造の一例を示す図である。
【図１６】本実施例に適用される候補者データを構成する候補者テーブル（選挙ＩＤ＝１用）の一例を示す図である。
【図１７】本実施例に適用される候補者データを構成する政党テーブルの一例を示す図である。
【図１８】本実施例に適用される候補者データを構成する投票所グループテーブルの一例を示す図である。
【図１９】本実施例に適用される候補者データを構成する固定画面レイアウトテーブルの一例を示す図である。
【図２０】本実施例に適用される候補者データを構成する投票画面レイアウトテーブル（選挙ＩＤ＝１用）の一例を示す図である。
【図２１】本実施例に適用される候補者データを構成する表示メッセージテーブルの一例を示す図である。
【図２２】本実施例に適用される電子投票装置内部に格納される原本用メディアのデータ構造の一例を示す図である。
【図２３】本実施例に適用される電子投票装置内部に格納される複写用メディアのデータ構造の一例を示す図である。
【図２４】本実施例に適用される電子投票装置内部に挿入される投票カード又は不在者投票カード若しくは運用カードのデータ構造の一例を示す図である。
【図２５】本実施例に適用される投票カードに記録される投票フラグのデータ構造の一例を示す図である。
【図２６】本実施例に適用される投票プログラムを構成するカード読取部の処理の流れの一例を示すフローチャートである。
【図２７】本実施例に適用される投票プログラムを構成する投票制御部の処理の流れの一例を示すフローチャートである。
【図２８】本実施例に適用される投票プログラムを構成する投票制御部における候補者選択画面投票制御部の処理の流れの一例を示すフローチャートである。
【図２９】本実施例に適用される投票プログラムを構成する投票制御部における頭文字選択画面投票制御部の処理の流れの一例を示すフローチャート（１／５）である。
【図３０】本実施例に適用される投票プログラムを構成する投票制御部における頭文字選択画面投票制御部の処理の流れの一例を示すフローチャート（２／５）である。
【図３１】本実施例に適用される投票プログラムを構成する投票制御部における頭文字選択画面投票制御部の処理の流れの一例を示すフローチャート（３／５）である。
【図３２】本実施例に適用される投票プログラムを構成する投票制御部における頭文字選択画面投票制御部の処理の流れの一例を示すフローチャート（４／５）である。
【図３３】本実施例に適用される投票プログラムを構成する投票制御部における頭文字選択画面投票制御部の処理の流れの一例を示すフローチャート（５／５）である。
【図３４】本実施例に適用される投票プログラムを構成する投票データ記録部の処理の流れの一例を示すフローチャートである。
【図３５】本実施例に適用される運用カードを発行するカード発行機のハードウェア構成の一例を示す図である。
【図３６】本実施例に適用される運用カードを発行するカード発行機のソフトウェア構成の一例を示す図である。
【図３７】本実施例に適用される発行機メディアのデータ構造の一例を示す図である。
【図３８】本実施例に適用される発行機メディアに格納される実施選挙の種類を示す図である。
【図３９】本実施例に適用される発行プログラムを構成する投票所ＩＤ生成部の一例を示すフローチャートである。
【図４０】本実施例に適用される運用カード及び投票カードを用いた電子投票システムの運営方法の流れを示す前半のフローチャートである。
【図４１】本実施例に適用される運用カード及び投票カードを用いた電子投票システムの運営方法の流れを示す後半のフローチャートである。
【図４２】本実施例に適用される電子投票装置のＬＣＤに表示される投票カード入力待ち画面の一例を示す図である。
【図４３】本実施例に適用される電子投票装置のＬＣＤに表示される投票カード抜取待ち画面の一例を示す図である。
【図４４】本実施例に適用される電子投票装置の候補者選択画面の一例を示す図である。
【図４５】本実施例に適用される電子投票装置の候補者選択画面（ボタン押下時）の一例を示す図である。
【図４６】本実施例に適用される電子投票装置の候補者選択画面（２８名表示）の一例を示す図である。
【図４７】本実施例に適用される電子投票装置の頭文字選択画面の一例を示す図である。
【図４８】本実施例に適用される電子投票装置の頭文字選択画面（該当候補者のみの表示）の一例を示す図である。
【図４９】本実施例に適用される電子投票装置の頭文字該当候補者選択画面（「お」選択時）の一例を示す図である。
【図５０】本実施例に適用される電子投票装置の頭文字該当候補者複数頁選択画面の一例を示す図である。
【図５１】本実施例に適用される電子投票装置の複数選択頁案内画面の一例を示す図である。
【図５２】本実施例に適用される電子投票装置の投票進捗画面の一例を示す図である。
【図５３】本実施例に適用される電子投票装置の候補者確認画面の一例を示す図である。
【図５４】本実施例に適用される電子投票装置の棄権確認画面の一例を示す図である。
【図５５】本実施例に適用される電子投票装置の選挙終了画面の一例を示す図である。
【図５６】本実施例に適用される電子投票装置の選挙終了確認画面の一例を示す図である。
【図５７】本実施例に適用される電子投票装置のエラー発生画面（投票結果書き込みエラー）の一例を示す図である。
【図５８】本実施例に適用される電子投票装置のエラー発生画面（投票カード読み取りエラー）の一例を示す図である。
【図５９】本実施例に適用されるカード認証キーの一例を示す図である。
【図６０】本実施例に適用される投票モードを規定する選挙人特性により規定される入出力手段の一例を示す図である。
【図６１】本実施例に適用されるサーバの投票の準備の流れを示すフローチャートである。
【図６２】本実施例に適用される電子投票装置の投票の準備の流れを示すフローチャートである。
【図６３】単一選挙（単記式）の投票の流れ例を示すフローチャートである。
説明する
【図６４】本実施例に適用される電子投票システムの運営方法によるサーバの終了の流れを示すフローチャートである。
【図６５】本実施例に適用される電子投票システムの復旧可能エラー発生時の処理の流れの一例を示すフローチャートである。
【図６６】本実施例に適用されるサーバ、電子投票装置の動作履歴を記録した投票ログの一例を示す図である。
【図６７】本実施例に適用される主たるサーバによる投票データの記録の流れの一例を示すシーケンス図である。
【符号の説明】
１００  選挙データ作成システム
１０１  選挙データ管理作成機
１０２  選挙データメディアコピー機
２００  投票所システム
２０１  投票カード発行機（カード発行機）
２０１ａ  不在者投票カード発行機
２０２  発行機用メディア
２０２ａ  リムーバブルメディア
２０３、２０３ｓ１、２０３ｓ２、２０３ｓＮ  電子投票装置
２０３ａ  不在者電子投票装置
２１０  投票者ＩＤプリンタ
２５０  主サーバ
２６０  副サーバ
２７０  ＬＡＮケーブル
３００  開票所システム
３０１  集計機（投票データ集計機）
３０２  不在者投票収集機
３５１  リムーバブルメディア読取部
３５２  封止ラベル読取部
３５３  不在者投票カード弁別部
３５４  不在者投票カード読取部
３５５  不在者投票用原本メディア読取部
３５６  不在者投票データ削除部
３５７  不在者投票カードＩＤ削除部
３５１ｃ  ＣＰＵ
３５２ｃ  ＲＯＭ
３５３ｃ  ＲＡＭ
４００  選挙データマスター
４０１  候補者データ（選挙データ）
４０１ａ１  候補者テーブル
４０１ｂ  政党テーブル
４０１ｃ  投票所グループテーブル
４０１ｄ  固定画面レイアウトテーブル
４０１ｅ１  投票画面レイアウトテーブル
４０１ｆ  表示メッセージテーブル
４０２  実施選挙の種類（選挙種データ）
４０３  カード認証キー（認証キー）
４０４  電子投票プログラム（投票プログラム）
４０５  運用カード（管理者カード）
４０６  投票カード
４０６ａ  不在者投票カード（開封された不在者投票カード）
４０６ａｃ  封印された不在者投票カード
４０７  投票データ
４０７ａ  不在者投票データ
４０８  原本用メディア（原本）
４０８ａ  不在者投票用原本メディア
４０９  複写用メディア（副本、複写、複製）
４０９ａ  不在者投票用複写メディア
４１１  オペレーティングシステム（ＯＳ）
４１２  シリアルＩ／Ｏ制御部
４１３  ウインドウ制御部
４１４  ファイル制御部
４１５  カード制御部
４１６  タッチパネル制御プログラム
４１７  プリンタ制御プログラム
４１８  ジャンクションボックス制御プログラム
４３１  カード読取部
４３２  選挙データ読込部
４３３  投票画面作成部
４３４  投票データ記録部
４３５  投票制御部
４３６  ローディングプログラム（プログラムローダー）
４３１ａ  不在者投票カード読取部
４３２ａ  候補者データ読取部
４３３ａ  不在者投票画面作成部
４３４ａ  不在者投票データ記録部
４３５ａ  不在者投票制御部
４５０  マザーボード
４５１  ＣＰＵ
４５２  ＲＯＭ
４５３  ＲＡＭ（ＲＡＭディスク）
４５４  シリコンディスク（システムディスク）
４５４ｂ  ローカルディスク領域
４５５  ジャンクション基板（バリアフリー入出力デバイスＩＦ）
４５６  ＶＲＡＭ（ビデオＲＡＭ）
４５７  ＣＬＯＣＫ（内蔵クオーツ時計）
５０４  発行プログラム
５３１  発行機メディア読取部
５３２  カード読取部
５３３  投票所ＩＤ生成部
５３４  発行データ記録部
５３５  発行制御部
５３１ａ  リムーバブルメディア読取部
５３２ａ  不在者投票カード読取部
５３３ａ  不在者投票カードＩＤ読取部
５３４ａ  発行データ記録部
５３５ａ  発行制御部
７００  封止ラベル
００１１  投票者ＩＤ
００１２  選挙権喪失者の投票者ＩＤ
００１２ｃ  リムーバブルメディア
２０１１  発行機ディスプレイ
２０１１ａ  モニタ
２０１２  発行機カードリーダライタ
２０１２ａ  ＩＣカードリーダライタ
２０１３ａ  入力デバイス
２０２１  選挙人特性ＩＤ（身体障害特性）
２０２２  投票フラグ
２０２３  不在者投票カードＩＤ
２０３０  フロントドア
２０３０ａ  南京錠
２０３０ｂ  ロックブラケット
２０３１  ディスプレイユニット
２０３１ａ  スタイラスペン
２０３１ｂ  ペンホルダ
２０３２  カード記録読取手段（カードリーダライタ、カードＲ／Ｗ、ＩＣカードリーダライタ）
２０３２ａ  カードガイドＬＥＤ（カード挿入ガイドＬＥＤ）
２０３３  スピーカ
２０３３ａ  ボリューム
２０３４  投票確定ＬＥＤ（投票確定確認用ＬＥＤ）
２０３５  スライドカバー
２０３６  ＬＣＤ角度調整アーム
２０３７  運動機能障害用プッシュスイッチ端子
２０３８  視覚障害者用専用キーボード端子
２０３９  ヘッドホン端子
３０００  封止ラベルリーダ
３０１１ｃ  モニタ
３０１２ｃ  入力デバイス
３０１３ｃ  カードホルダ
３０１４ｃ  排出トレイ
３０１５ｃ  ＩＣカードリーダライタ
３０３３ｃ  シリアルＩＦ
４０５５  投票所ＩＤ（管理ＩＤ，管理識別ＩＤ，管理識別コード、乱数）
４０７５  投票ログ
４０６１ａ  ＩＣ接触端子（外部接触端子）
２０１１６ａ  ＲＡＭ
２０１１７ａ  ＣＰＵ
２０１１８ａ  ＲＯＭ
２０１１９ａ  ＨＤＤ
２０１２１ａ  リムーバブルメディアＩＦ
２０１１７  ＣＰＵ（発行機）
２０１１８  ＲＡＭ（発行機）
２０１１９  ＨＤＤ（発行機）
２０１２０  乱数発生器
２０３０１  状態表示灯
２０３０１ａ  電源表示灯
２０３０１ｂ  操作表示灯
２０３０１ｃ  ポール
２０３０１ｄ  状態表示灯ケーブル
２０３０２  外部ディスプレイ端子
２０３０３  原本用メディア用スロット（リムーバブルメディアＩＦＡ）
２０３０４  複写用メディア用スロット（リムーバブルメディアＩＦＢ）
２０３０５  報知手段
２０３０６  入力手段
２０３０７  シリコンディスク格納部
２０３０８  電源ＬＥＤ（ＡＣ電源供給監視用ＬＥＤ）
２０３１０  フロントドア開閉センサ
２０３１１  ＬＣＤ（液晶ディスプレイ）
２０３１２  インバータ
２０３１３  タッチパネル
２０３１４  内蔵電池（内部バッテリ）
２０３１５  直流電源（ＤＣ電源）
２０３１６  交流電源（ＡＣ電源）
２０３３１  サウンドＩＦ
２０３７１  運動機能障害用プッシュスイッチ
２０３８１  視覚障害者用専用キーボード
２０３９１  音量調整付きヘッドホン（ヘッドホン）
２０３Ｘ１  バリアフリー入出力デバイス
３０３０３ＣＡ  リムーバブルメディアＩＦ
３０３０３ＣＢ  リムーバブルメディアＩＦ
【図１】
2004213408.tif 000003
【図２】
2004213408.tif 000004
【図３】
2004213408.tif 000005
【図４】
2004213408.tif 000006
【図５】
2004213408.tif 000007
【図６】
2004213408.tif 000008
【図７】
2004213408.tif 000009
【図８】
2004213408.tif 000010
【図９】
2004213408.tif 000011
【図１０】
2004213408.tif 000012
【図１１】
2004213408.tif 000013
【図１２】
2004213408.tif 000014
【図１３】
2004213408.tif 000015
【図１４】
2004213408.tif 000016
【図１５】
2004213408.tif 000017
【図１６】
2004213408.tif 000018
【図１７】
2004213408.tif 000019
【図１８】
2004213408.tif 000020
【図１９】
2004213408.tif 000021
【図２０】
2004213408.tif 000022
【図２１】
2004213408.tif 000023
【図２２】
2004213408.tif 000024
【図２３】
2004213408.tif 000025
【図２４】
2004213408.tif 000026
【図２５】
2004213408.tif 000027
【図２６】
2004213408.tif 000028
【図２７】
2004213408.tif 000029
【図２８】
2004213408.tif 000030
【図２９】
2004213408.tif 000031
【図３０】
2004213408.tif 000032
【図３１】
2004213408.tif 000033
【図３２】
2004213408.tif 000034
【図３３】
2004213408.tif 000035
【図３４】
2004213408.tif 000036
【図３５】
2004213408.tif 000037
【図３６】
2004213408.tif 000038
【図３７】
2004213408.tif 000039
【図３８】
2004213408.tif 000040
【図３９】
2004213408.tif 000041
【図４０】
2004213408.tif 000042
【図４１】
2004213408.tif 000043
【図４２】
2004213408.tif 000044
【図４３】
2004213408.tif 000045
【図４４】
2004213408.tif 000046
【図４５】
2004213408.tif 000047
【図４６】
2004213408.tif 000048
【図４７】
2004213408.tif 000049
【図４８】
2004213408.tif 000050
【図４９】
2004213408.tif 000051
【図５０】
2004213408.tif 000052
【図５１】
2004213408.tif 000053
【図５２】
2004213408.tif 000054
【図５３】
2004213408.tif 000055
【図５４】
2004213408.tif 000056
【図５５】
2004213408.tif 000057
【図５６】
2004213408.tif 000058
【図５７】
2004213408.tif 000059
【図５８】
2004213408.tif 000060
【図５９】
2004213408.tif 000061
【図６０】
2004213408.tif 000062
【図６１】
2004213408.tif 000063
【図６２】
2004213408.tif 000064
【図６３】
2004213408.tif 000065
【図６４】
2004213408.tif 000066
【図６５】
2004213408.tif 000067
【図６６】
2004213408.tif 000068
【図６７】
2004213408.tif 000069